(57)【特許請求の範囲】
【請求項１】
第１ダウンリンクサブフレーム上において、ユーザ機器に非周期チャネル状態情報トリガシグナリング（非周期ＣＳＩトリガシグナリング）を送信する送信ユニットであって、前記非周期ＣＳＩトリガシグナリングは、第１ダウンリンクサブフレームセットの非周期ＣＳＩ測定結果を送信するよう、前記ユーザ機器に指示する、送信ユニットと、
前記ユーザ機器からの少なくとも１つの非周期ＣＳＩを受信する受信ユニットであって、前記少なくとも１つの非周期ＣＳＩは、第１参照サブフレーム上の非周期ＣＳＩ測定結果に対応する、受信ユニットとを備え、
前記第１参照サブフレーム上の前記非周期ＣＳＩ測定結果は、前記第１ダウンリンクサブフレームセットの前記非周期ＣＳＩ測定結果であり、前記第１参照サブフレームは、前記第１ダウンリンクサブフレームセットにおけるサブフレームであり、前記第１ダウンリンクサブフレームと第２サブフレームとの間のサブフレームが、前記第１ダウンリンクサブフレームセットにおけるいずれのサブフレームも含まず、前記第２サブフレームは、第１アップリンクサブフレームの前４つ目のサブフレームであり、前記第１アップリンクサブフレームは、前記少なくとも１つの非周期ＣＳＩの中の１つの非周期ＣＳＩを保持するサブフレームであり、
前記第１参照サブフレームは、前記第１ダウンリンクサブフレームセットにおいてサブフレームインデックスが最小のサブフレームである、
装置。
【請求項２】
第１ダウンリンクサブフレーム上において、基地局装置から非周期チャネル状態情報トリガシグナリング（非周期ＣＳＩトリガシグナリング）を受信する受信ユニットであって、前記非周期ＣＳＩトリガシグナリングは、第１ダウンリンクサブフレームセットの非周期ＣＳＩ測定結果を送信するよう、ユーザ機器に指示する、受信ユニットと、
第１参照サブフレーム上において、非周期ＣＳＩ測定結果を得るべく、ＣＳＩ測定を実行する測定ユニットと、
前記基地局装置に、少なくとも１つの非周期ＣＳＩを送信する送信ユニットと
を備え、
前記少なくとも１つの非周期ＣＳＩ情報は、前記第１参照サブフレーム上の前記非周期ＣＳＩ測定結果に対応し、前記第１参照サブフレーム上の前記非周期ＣＳＩ測定結果は、前記第１ダウンリンクサブフレームセットの前記非周期ＣＳＩ測定結果であり、前記第１参照サブフレームは、前記第１ダウンリンクサブフレームセットにおけるサブフレームであり、
前記第１ダウンリンクサブフレームと第２サブフレームとの間のサブフレームが、前記第１ダウンリンクサブフレームセットにおけるいずれのサブフレームも含まず、前記第２サブフレームは、第１アップリンクサブフレームの前４つ目のサブフレームであり、前記第１アップリンクサブフレームは、前記少なくとも１つの非周期ＣＳＩの中の１つの非周期ＣＳＩ情報を保持するサブフレームであり、
前記第１参照サブフレームが、前記第１ダウンリンクサブフレームセットにおいてサブフレームインデックスが最小のサブフレームである、
装置。
【請求項３】
チャネル状態情報を受信するための方法であり、
第１ダウンリンクサブフレーム上において、ユーザ機器に、非周期チャネル状態情報トリガシグナリング（非周期ＣＳＩトリガシグナリング）を送信する段階であって、前記非周期ＣＳＩトリガシグナリングは、第１ダウンリンクサブフレームセットの非周期ＣＳＩ測定結果を送信するよう、前記ユーザ機器に指示する、段階と、
前記ユーザ機器から少なくとも１つの非周期ＣＳＩを受信する段階とを備え、
前記少なくとも１つの非周期ＣＳＩは、第１参照サブフレーム上の非周期ＣＳＩ測定結果に対応し、前記第１参照サブフレーム上の前記非周期ＣＳＩ測定結果は、前記第１ダウンリンクサブフレームセットの前記非周期ＣＳＩ測定結果であり、前記第１参照サブフレームは、前記第１ダウンリンクサブフレームセットにおけるサブフレームであり、
前記第１ダウンリンクサブフレームと第２サブフレームとの間のサブフレームが、前記第１ダウンリンクサブフレームセットにおけるいずれのサブフレームも含まず、前記第２サブフレームは、第１アップリンクサブフレームの前４つ目のサブフレームであり、前記第１アップリンクサブフレームは、前記少なくとも１つの非周期ＣＳＩの中の１つの非周期ＣＳＩを保持するサブフレームであり、
前記第１参照サブフレームが、前記第１ダウンリンクサブフレームセットにおいてサブフレームインデックスが最小のサブフレームである、
方法。
【請求項４】
チャネル状態情報を報告するための方法であって、
第１ダウンリンクサブフレーム上において、基地局装置から非周期チャネル状態情報トリガシグナリング（非周期ＣＳＩトリガシグナリング）を受信する段階であって、前記非周期ＣＳＩトリガシグナリングは、第１ダウンリンクサブフレームセットの非周期ＣＳＩ測定結果を送信するよう、ユーザ機器に指示する、段階と、
第１参照サブフレーム上の非周期ＣＳＩ測定結果を得るべく、ＣＳＩ測定を実行する段階と、
前記基地局装置に、少なくとも１つの非周期ＣＳＩを送信する段階と
を備え、
前記少なくとも１つの非周期ＣＳＩ情報は、前記第１参照サブフレーム上の前記非周期ＣＳＩ測定結果に対応し、
前記第１参照サブフレーム上の前記非周期ＣＳＩ測定結果は、前記第１ダウンリンクサブフレームセットの前記非周期ＣＳＩ測定結果であり、前記第１参照サブフレームは、前記第１ダウンリンクサブフレームセットにおけるサブフレームであり、
前記第１ダウンリンクサブフレームと第２サブフレームとの間のサブフレームが、前記第１ダウンリンクサブフレームセットにおけるいずれのサブフレームも含まず、前記第２サブフレームは、第１アップリンクサブフレームの前４つ目のサブフレームであり、前記第１アップリンクサブフレームは、前記少なくとも１つの非周期ＣＳＩの中の１つの非周期ＣＳＩ情報を保持するサブフレームであり、
前記第１参照サブフレームが、前記第１ダウンリンクサブフレームセットにおいてサブフレームインデックスが最小のサブフレームである、
方法。
【請求項５】
コンピュータに、請求項３又は４に記載の方法を実行させるためのプログラム。
【発明の詳細な説明】
【技術分野】
【０００１】
本発明は、通信技術分野に関し、特に、基地局装置、ユーザ機器、及びチャネル状態情報を報告するための方法に関する。
【背景技術】
【０００２】
時分割多重（Ｔｉｍｅ  Ｄｉｖｉｓｉｏｎ  Ｄｕｐｌｅｘ、ＴＤＤ）システムにおいて、受信及び送信が同じ周波数帯域の異なる時間に完了し、すなわち、アップリンク及びダウンリンクが時間により区別されている。ロングタームエボリューション（Ｌｏｎｇ  Ｔｅｒｍ  Ｅｖｏｌｕｔｉｏｎ、ＬＴＥ）システムは、７つの異なるアップリンク‐ダウンリンクサブフレーム構成をサポートすることができる。ＬＴＥ  Ｒｅｌ−１２以前のシステムにおいては、セルにおける全てのユーザ機器（Ｕｓｅｒ  Ｅｑｕｉｐｍｅｎｔ、ＵＥ）が、ブロードキャストメッセージＳＩＢ１を用いることによって、用いられている特定のアップリンク‐ダウンリンクサブフレーム構成を通知される。一方、Ｒｅｌ−１２システムにおいては、セルにおける全てのＵＥは、物理制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を用いることによって通知され、Ｒｅｌ−１２において、ＵＥにより実際に用いられているアップリンク‐ダウンリンクサブフレーム構成が、ＳＩＢ１において示されているアップリンク‐ダウンリンクサブフレーム構成と異なり得る。Ｒｅｌ−１２システムにおいて、ＵＥにより用いられるアップリンク‐ダウンリンクサブフレーム構成は、短期間内に変更され得、例えば、１０ｍｓという期間内に変更され得、Ｒｅｌ−１２システムにおいて、アップリンク‐ダウンリンクサブフレーム構成情報を迅速に変更するそのような方式は、動的ＴＤＤサブフレーム構成と称される。
【０００３】
動的ＴＤＤサブフレーム構成がＴＤＤシステムにおいて用いられる場合、複数の異なる変更が、ローカルセル及び近隣セルのアップリンク‐ダウンリンクサブフレーム構成において発生し得る。この場合、ローカルセルのダウンリンクサブフレームが、近隣セルからのアップリンクサブフレームにより干渉され得、ローカルセルのアップリンクサブフレームがまた、近隣セルのダウンリンクサブフレームにより干渉され得、その２種類の干渉は両方とも、逆方向干渉と称される。反対に、近隣セルからのアップリンクサブフレームが、ローカルセルのアップリンクサブフレームに対する干渉を引き起こし得、又は、近隣セルのダウンリンクサブフレームが、ローカルセルのダウンリンクサブフレームに対する干渉を引き起こし得、この２種類の干渉は両方とも、同方向干渉と称される。図１に示されているように、近隣セルからの干渉における差異に従って、ローカルセルの複数のダウンリンクサブフレーム０、１、３、５、６、及び８（Ｘとして示される）は、第１サブフレームセットにグループ化され得、複数のダウンリンクサブフレーム４及び９（Ｆとして示される）は、第２サブフレームセットにグループ化され得、Ｕは、アップリンクサブフレームを表す。ＬＴＥ又は進化型ロングタームエボリューション（ＬＴＥ‐Ａｄｖａｎｃｅｄ、ＬＴＥ‐Ａ）システムなどの無線通信システムにおいて、システムの伝送効率の向上、及びＵＥのサービスの品質の向上のために、ＵＥは、チャネル状態情報（Ｃｈａｎｎｅｌ  Ｓｔａｔｅ  Ｉｎｆｏｒｍａｔｉｏｎ、ＣＳＩ）を測定して基地局装置にそのＣＳＩを報告する必要がある。ＣＳＩ報告は、周期ＣＳＩ報告と非周期ＣＳＩ報告とを含む。基地局装置は、上位層のシグナリングを用いることによって、半静的方式で非周期ＣＳＩ報告モードを構成し、物理層シグナリングを用いることによって、非周期ＣＳＩ報告をトリガする。非周期ＣＳＩトリガシグナリングを受信した後に、ユーザ機器は、非周期ＣＳＩを報告する。非周期ＣＳＩトリガサブフレームと、報告サブフレームＮとの間のタイミング関係が、アップリンク参照サブフレーム構成のタイミングに従って判断される。
【０００４】
従来技術では、利用可能なＣＳＩ測定サブフレームリソースのサブフレームを、非周期ＣＳＩトリガサブフレームと複数の報告サブフレームＮ‐４との間に配置する必要がある。図２に示されているように、サブフレーム０が、非周期ＣＳＩを報告するようサブフレーム７をトリガし、従って、ＣＳＩ測定サブフレームは、サブフレーム０、１、又は３に配置され得る（ここで、サブフレーム２がアップリンクサブフレームである）。同様に、サブフレーム５が、非周期ＣＳＩを報告するようサブフレーム１２をトリガし、従って、ＣＳＩ測定サブフレームは、サブフレーム５、６、又は８に配置され得る（ここで、サブフレーム７がアップリンクサブフレームである）。図１のダウンリンクサブフレームグループ化の一例によれば、複数のサブフレーム０、１、３、５、６、及び８は全て、第１サブフレームセットに属することが分かる。従って、どのダウンリンクサブフレームがトリガするのに用いられるかに関係なく、第２サブフレームセットのＣＳＩ測定は、実行されることができない。結果として、第２サブフレームセットの非周期ＣＳＩは、報告されることができない。
【０００５】
従来技術における解決手段では、対応するサブフレームセットにおいて測定用に用いられ得るリソースが存在しない場合、そのサブフレームセットに対応する非周期ＣＳＩ情報が報告されず、又は、対応するサブフレームの記録された最後の１つのＣＳＩ情報が報告される。図２に示されているように、第２サブフレームセットにおいてＣＳＩ測定サブフレームリソースが存在しないので、対応する非周期ＣＳＩトリガ指標を受信した後に、ＵＥは、（範囲を超えた、ＯＯＲ）情報を報告してよく、非周期ＣＳＩを報告しない場合があり、又は、最後の１つの利用可能な非周期ＣＳＩ測定情報を報告してよい。そのような方式は、第２サブフレームセットの対応するＣＳＩが報告されることができないことを引き起こす。
【０００６】
結論として、無線フレームにおいていくつかのダウンリンクサブフレームセットの非周期ＣＳＩが報告されることができないという課題は、解決される必要がある。
【発明の概要】
【０００７】
本発明の複数の実施形態は、基地局装置、ユーザ機器、及びチャネル状態情報を報告するための方法を提供し、ユーザ機器により送信された、ダウンリンクサブフレームセットの非周期チャネル状態測定結果を、基地局装置が有効に受信することを保証することができる。
【０００８】
第１態様によれば、基地局装置が提供され、当該基地局装置は、ユーザ機器により送信された少なくとも１つの非周期チャネル状態情報ＣＳＩを受信するよう構成される受信ユニットであって、少なくとも１つの非周期ＣＳＩは、第１参照サブフレーム上の非周期ＣＳＩ測定結果に対応する、受信ユニットを備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０００９】
第１の可能な実装方式において、基地局装置は、第１ダウンリンクサブフレーム上において、ユーザ機器に非周期ＣＳＩトリガシグナリングを送信するよう構成される送信ユニットであって、非周期ＣＳＩトリガシグナリングは、第１ダウンリンクサブフレームセットの非周期ＣＳＩ測定結果を送信するよう、ユーザ機器に命令するのに用いられる、送信ユニットをさらに備え、第１ダウンリンクサブフレームと第２サブフレームとの間のサブフレームが、第１ダウンリンクサブフレームセットのいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。
【００１０】
第１態様又は第１態様の第１の可能な実装方式に関連して、第２の可能な実装方式では、送信ユニットは、ユーザ機器に第１シグナリングを送信するようさらに構成され、第１シグナリングは、第１参照サブフレームを示すのに用いられる。
【００１１】
第１態様又は第１態様の第１の可能な実装方式に関連して、第３の可能な実装方式では、第１参照サブフレームは、第１ダウンリンクサブフレームセットから、ユーザ機器によりランダムに選択されるサブフレームである。
【００１２】
第１態様又は第１態様の第１の可能な実装方式に関連して、第４の可能な実装方式では、第１参照サブフレームは、ユーザ機器により、予め設定された規則に従って、第１ダウンリンクサブフレームセットにおいて判断されるサブフレームであり、当該予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【００１３】
第１態様の第４の可能な実装方式に関連して、第５の実装方式では、送信ユニットは、ユーザ機器に第２シグナリングを送信するようさらに構成され、第２シグナリングは、予め設定された規則を示すのに用いられる。
【００１４】
第２態様によれば、ユーザ機器が提供される。当該ユーザ機器は、第１参照サブフレームを判断するよう構成される判断ユニットと、第１参照サブフレーム上において、非周期チャネル状態情報ＣＳＩ測定を実行するよう構成される測定ユニットと、基地局装置に少なくとも１つの非周期ＣＳＩを送信するよう構成される送信ユニットであって、少なくとも１つの非周期ＣＳＩ情報は、第１参照サブフレーム上の非周期ＣＳＩ測定結果に対応する、送信ユニットとを備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【００１５】
第１の可能な実装方式では、ユーザ機器は、第１ダウンリンクサブフレーム上において、基地局装置により送信された非周期ＣＳＩトリガシグナリングを受信するよう構成される受信ユニットであって、非周期ＣＳＩトリガシグナリングは、第１ダウンリンクサブフレームセットの非周期ＣＳＩ測定結果を送信するよう、ユーザ機器に命令するのに用いられる、受信ユニットをさらに備え、第１ダウンリンクサブフレームと第２サブフレームとの間のサブフレームが、第１ダウンリンクサブフレームセットのいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【００１６】
第２態様又は第２態様の第１の可能な実装方式に関連して、第２の可能な実装方式では、受信ユニットは、基地局装置により送信された第１シグナリングを受信するようさらに構成され、第１シグナリングは、第１参照サブフレームを示すのに用いられ、判断ユニットは、第１シグナリングに従って第１参照サブフレームを判断するよう具体的に構成される。
【００１７】
第２態様又は第２態様の第１の可能な実装方式に関連して、第３の可能な実装方式では、判断ユニットは、第１ダウンリンクサブフレームセットから、第１参照サブフレームとしてサブフレームをランダムに選択するよう構成される選択ユニットを含む。
【００１８】
第２態様又は第２態様の第１の可能な実装方式に関連して、第４の可能な実装方式では、判断ユニットは、予め設定された規則に従って第１参照サブフレームを判断するよう具体的に構成され、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【００１９】
第２態様の第４の可能な実装方式に関連して、第５の実装方式では、受信ユニットは、基地局装置により送信された第２シグナリングを受信するようさらに構成され、第２シグナリングは、予め設定された規則を示すのに用いられる。
【００２０】
第３態様によれば、基地局装置が提供され、当該基地局装置は、ユーザ機器により送信された少なくとも１つの非周期チャネル状態情報ＣＳＩを受信するよう構成される受信機であって、少なくとも１つの非周期ＣＳＩは、第１参照サブフレーム上の非周期ＣＳＩ測定結果に対応する、受信機を備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【００２１】
第１の可能な実装方式では、基地局装置は、第１ダウンリンクサブフレーム上において、ユーザ機器に非周期ＣＳＩトリガシグナリングを送信するよう構成される伝送機であって、非周期ＣＳＩトリガシグナリングは、第１ダウンリンクサブフレームセットの非周期ＣＳＩ測定結果を送信するよう、ユーザ機器に命令するのに用いられる、伝送機をさらに備え、第１ダウンリンクサブフレームと第２サブフレームとの間のサブフレームは、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。
【００２２】
第３態様又は第３態様の第１の可能な実装方式に関連して、第２の可能な実装方式では、伝送機は、ユーザ機器に第１シグナリングを送信するようさらに構成され、第１シグナリングは、第１参照サブフレームを示すのに用いられる。
【００２３】
第３態様又は第３態様の第１の可能な実装方式に関連して、第３の可能な実装方式では、第１参照サブフレームは、第１ダウンリンクサブフレームセットから、ユーザ機器によりランダムに選択されるサブフレームである。
【００２４】
第３態様又は第３態様の第１の可能な実装方式に関連して、第４の可能な実装方式では、第１参照サブフレームは、ユーザ機器により、予め設定された規則に従って、第１ダウンリンクサブフレームセットにおいて判断されるサブフレームであり、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【００２５】
第３態様の第４の可能な実装方式に関連して、第５の実装方式では、伝送機は、ユーザ機器に第２シグナリングを送信するようさらに構成され、第２シグナリングは、予め設定された規則を示すのに用いられる。
【００２６】
第４態様によれば、ユーザ機器が提供され、当該ユーザ機器は、第１参照サブフレームを判断するよう構成されるプロセッサであって、第１参照サブフレーム上の非周期チャネル状態情報ＣＳＩ測定を実行するようさらに構成されるプロセッサと、基地局装置に少なくとも１つの非周期ＣＳＩを送信するよう構成される伝送機であって、少なくとも１つの非周期ＣＳＩ情報は、第１参照サブフレーム上の非周期ＣＳＩ測定結果に対応する、伝送機とを備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【００２７】
第１の可能な実装方式では、ユーザ機器は、第１ダウンリンクサブフレーム上において、基地局装置により送信された非周期ＣＳＩトリガシグナリングを受信するよう構成される受信機であって、非周期ＣＳＩトリガシグナリングは、第１ダウンリンクサブフレームセットの非周期ＣＳＩ測定結果を送信するよう、ユーザ機器に命令するのに用いられる、受信機をさらに備え、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【００２８】
第４態様又は第４態様の第１の可能な実装方式に関連して、第２の可能な実装方式では、受信機は、基地局装置により送信された第１シグナリングを受信するようさらに構成され、第１シグナリングは、第１参照サブフレームを示すのに用いられ、プロセッサにより実行される第１参照サブフレームを判断する段階は、第１シグナリングに従って第１参照サブフレームを判断する段階を含む。
【００２９】
第４態様又は第４態様の第１の可能な実装方式に関連して、第３の可能な実装方式では、プロセッサにより実行される第１参照サブフレームを判断する段階は、第１ダウンリンクサブフレームセットから、サブフレームを第１参照サブフレームとしてランダムに選択する段階を含む。
【００３０】
第４態様又は第４態様の第１の可能な実装方式に関連して、第４の可能な実装方式では、プロセッサにより実行される第１参照サブフレームを判断する段階は、予め設定された規則に従って第１参照サブフレームを判断する段階を含み、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【００３１】
第４態様の第４の可能な実装方式に関連して、第５の実装方式では、受信機は、基地局装置により送信された第２シグナリングを受信するようさらに構成され、第２シグナリングは、予め設定された規則を示すのに用いられる。
【００３２】
第５態様によれば、チャネル状態情報を報告するための方法が提供され、当該方法は、ユーザ機器により送信された少なくとも１つの非周期チャネル状態情報ＣＳＩを受信する段階であって、少なくとも１つの非周期ＣＳＩは、第１参照サブフレーム上の非周期ＣＳＩ測定結果に対応する、段階を備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【００３３】
第１の可能な実装方式では、ユーザ機器により送信された少なくとも１つの非周期ＣＳＩを受信する段階の前に、方法は、第１ダウンリンクサブフレーム上において、ユーザ機器に非周期ＣＳＩトリガシグナリングを送信する段階であって、非周期ＣＳＩトリガシグナリングは、第１ダウンリンクサブフレームセットの非周期ＣＳＩ測定結果を送信するよう、ユーザ機器に命令するのに用いられる、段階をさらに備え、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。
【００３４】
第５態様又は第５態様の第１の可能な実装方式に関連して、第２の可能な実装方式では、ユーザ機器により送信された少なくとも１つの非周期ＣＳＩを受信する段階の前に、方法は、ユーザ機器に第１シグナリングを送信する段階であって、第１シグナリングは第１参照サブフレームを示すのに用いられる、段階をさらに備える。
【００３５】
第５態様又は第５態様の第１の可能な実装方式に関連して、第３の可能な実装方式では、第１参照サブフレームは、第１ダウンリンクサブフレームセットから、ユーザ機器によりランダムに選択されるサブフレームである。
【００３６】
第５態様又は第５態様の第１の可能な実装方式に関連して、第４の可能な実装方式では、第１参照サブフレームは、ユーザ機器により、予め設定された規則に従って、第１ダウンリンクサブフレームセットにおいて判断されるサブフレームであり、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小なサブフレームであることを含む。
【００３７】
第５態様の第４の可能な実装方式に関連して、第５の実装方式では、ユーザ機器により送信された少なくとも１つの非周期ＣＳＩを受信する段階の前に、方法は、ユーザ機器に第２シグナリングを送信する段階であって、第２シグナリングは、予め設定された規則を示すのに用いられる、段階をさらに備える。
【００３８】
第６態様によれば、チャネル状態情報を報告するための方法が提供され、当該方法は、第１参照サブフレームを判断する段階と、第１参照サブフレーム上において、非周期チャネル状態情報ＣＳＩ測定を実行する段階と、基地局装置に、少なくとも１つの非周期ＣＳＩを送信する段階であって、少なくとも１つの非周期ＣＳＩ情報は、第１参照サブフレーム上の非周期ＣＳＩ測定結果に対応する、段階とを備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【００３９】
第１の可能な実装方式では、第１参照サブフレーム上において非周期ＣＳＩ測定を実行する段階の前に、方法は、第１ダウンリンクサブフレーム上において、基地局装置により送信された非周期ＣＳＩトリガシグナリングを受信する段階であって、非周期ＣＳＩトリガシグナリングは、第１ダウンリンクサブフレームセットの非周期ＣＳＩ測定結果を送信するよう、ユーザ機器に命令するのに用いられ、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである、段階をさらに備える。
【００４０】
第６態様又は第６態様の第１の可能な実装方式に関連して、第２の可能な実装方式では、第１参照サブフレームを判断する段階の前に、方法は、基地局装置により送信された第１シグナリングを受信する段階であって、第１シグナリングは、第１参照サブフレームを示すのに用いられる、段階とをさらに備え、第１参照サブフレームを判断する段階は、第１シグナリングに従って第１参照サブフレームを判断する段階を含む。
【００４１】
第６態様又は第６態様の第１の可能な実装方式に関連して、第３の可能な実装方式では、第１参照サブフレームを判断する段階は、第１ダウンリンクサブフレームセットから、サブフレームを第１参照サブフレームとしてランダムに選択する段階を含む。
【００４２】
第６態様又は第６態様の第１の可能な実装方式に関連して、第４の可能な実装方式では、第１参照サブフレームを判断する段階は、予め設定された規則に従って第１参照サブフレームを判断する段階を含み、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【００４３】
第６態様の第４の可能な実装方式に関連して、第５の実装方式では、予め設定された規則に従って第１参照サブフレームを判断する段階の前に、方法は、基地局装置により送信された第２シグナリングを受信する段階であって、第２シグナリングは、予め設定された規則を示すのに用いられる、段階をさらに備える。
【００４４】
ダウンリンクサブフレームセットにおいて設定された参照サブフレーム上に非周期ＣＳＩ測定を実行することによって、本発明の複数の実施形態は、基地局装置が、ユーザ機器により送信された、ダウンリンクサブフレームセットの非周期チャネル状態測定結果を有効に受信することを保証することができる、ということが分かる。
【図面の簡単な説明】
【００４５】
本発明の複数の実施形態又は従来技術における複数の技術的解決手段をより明確に説明するために、以下にて、実施形態を説明するために必要な複数の添付図面を簡潔に紹介する。明らかに、以下の説明における複数の添付図面は、本発明のいくつかの実施形態を示すにすぎず、当業者であれば、創造努力なしで、これらの添付図面から複数の他の図面をさらに導き出し得る。
【００４６】
【図１】無線フレームの一例の概略図である。
【００４７】
【図２】従来技術における参照サブフレーム上の非周期チャネル状態情報ＣＳＩの測定の概略図である。
【００４８】
【図３】本発明の実施形態に係る基地局装置の概略構造図である。
【００４９】
【図４】本発明の実施形態に係る別の基地局装置の概略構造図である。
【００５０】
【図５】本発明の実施形態を用いることによって判断される参照サブフレーム上における非周期チャネル状態情報ＣＳＩの測定の概略図である。
【００５１】
【図６】別の本発明の実施形態を用いることによって判断される参照サブフレーム上における非周期チャネル状態情報ＣＳＩの測定の概略図である。
【００５２】
【図７】本発明の実施形態に係るユーザ機器の概略構造図である。
【００５３】
【図８】本発明の実施形態に係る別のユーザ機器の概略構造図である。
【００５４】
【図９】本発明の実施形態に係るまた別のユーザ機器の概略構造図である。
【００５５】
【図１０】本発明の実施形態に係るまた別の基地局装置の概略構造図である。
【００５６】
【図１１】本発明の実施形態に係るまた別の基地局装置の概略構造図である。
【００５７】
【図１２】本発明の実施形態に係るまた別のユーザ機器の概略構造図である。
【００５８】
【図１３】本発明の実施形態に係るまた別のユーザ機器の概略構造図である。
【００５９】
【図１４】本発明の実施形態に係るチャネル状態情報を報告するための方法のフローチャートである。
【００６０】
【図１５】本発明の実施形態に係るチャネル状態情報を報告するための別の方法のフローチャートである。
【００６１】
【図１６】本発明の実施形態に係るチャネル状態情報を報告するためのまた別の方法のフローチャートである。
【００６２】
【図１７】本発明の実施形態に係るチャネル状態情報を報告するためのまた別の方法のフローチャートである。
【００６３】
【図１８】本発明の実施形態に係るチャネル状態情報を報告するためのまた別の方法のフローチャートである。
【００６４】
【図１９】本発明の実施形態に係るチャネル状態情報を報告するためのまた別の方法のフローチャートである。
【００６５】
【図２０】本発明の実施形態に係るチャネル状態情報を報告するためのまた別の方法のフローチャートである。
【発明を実施するための形態】
【００６６】
以下にて、本発明の複数の実施形態における複数の添付図面を参照して、本発明の複数の実施形態における複数の技術的解決手段を明確に、かつ完全に説明する。明らかに、説明される複数の実施形態は単に、本発明の複数の実施形態の一部であり、全てではない。本発明の複数の実施形態に基づき、創造努力なしで、当業者により得られる全ての他の実施形態は、本発明の保護範囲内に含まれるべきである。
【００６７】
まずは、アップリンク‐ダウンリンクサブフレーム構成について、説明する。既存のＬＴＥ  ＴＤＤシステムにおいて、７つの種類の構成が存在し、詳しくは、以下の表１を参照する。Ｄは、ダウンリンクを表し、Ｕは、アップリンクを表し、Ｓは、スペシャルサブフレームを表す。スペシャルサブフレームは、ダウンリンクパイロットタイムスロット（Ｄｏｗｎｌｉｎｋ  ｐｉｌｏｔ  ｔｉｍｅ  ｓｌｏｔ、ＤＷＰＴＳ）と、ガード期間（ｇｕａｒｄ  ｐｅｒｉｏｄ、ＧＰ）と、アップリンクパイロットタイムスロット（ｕｐｌｉｎｋ  ｐｉｌｏｔ  ｔｉｍｅ  ｓｌｏｔ、ＵＰＰＴＳ）とを含む。表１：アップリンク‐ダウンリンクサブフレーム構成
【表１】
0006367370.tif 000002
【００６８】
ＬＴＥ  ＴＤＤシステムでは、用いられるアップリンク−ダウンリンク構成が半静的方式で構成され、構成が６４０ミリ秒という最短間隔で変更され得、現在のアップリンク−ダウンリンク構成が一時的アップリンク及びダウンリンクサービス量と一致しないことを引き起こし得、従って、非効率なリソース利用をもたらす。この問題は、いくつかのユーザを有するセルにとっては特に深刻である。従って、リソース利用を有効に向上するために、新バージョンのシステムでは、ＴＤＤアップリンク‐ダウンリンク構成は、動的に変更されることができ、例えば、アップリンク−ダウンリンク構成は、１０ｍｓ〜４０ｍｓの間隔で変更され、基地局装置は、ＰＤＣＣＨを用いることによって、ＴＤＤアップリンク‐ダウンリンク構成をユーザ機器に通知する。ＰＤＣＣＨが相対的に動的であるので、ＴＤＤアップリンク‐ダウンリンク構成の動的な変更が実行される。
【００６９】
本発明の実施形態に係る基地局装置の概略構造図である図３を参照する。基地局装置１０００は、ユーザ機器により送信された少なくとも１つの非周期チャネル状態情報ＣＳＩを受信するよう構成される受信ユニット１１であって、少なくとも１つの非周期ＣＳＩは、第１参照サブフレーム上の非周期ＣＳＩ測定結果に対応する、受信ユニット１１を備え、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。第１参照サブフレームが、非周期ＣＳＩ参照リソースが配置されるサブフレームであり、すなわち、ユーザ機器が第１参照サブフレーム上において非周期ＣＳＩ測定を実行することが留意されるべきである。
【００７０】
この実施形態において、例えば、動的ＴＤＤサブフレーム構成は、ＬＴＥシステムにおいて用いられ、ローカルセル及び近隣セルのサブフレーム構成における複数の変更は、異なってよく、近隣セルは、ローカルセルに対して同方向干渉又は逆方向干渉を引き起こし得る。近隣セルのサブフレーム構成によれば、ローカルセルの基地局装置が、ローカルセルのどのダウンリンクサブフレームが近隣セルの複数のサブフレームからの逆方向干渉の対象となり得るかを判断し得、次に、これらのサブフレームを１つのセットにグループ化し、近隣セルの複数のサブフレームからの同方向干渉のみの対象であるローカルセルの複数のダウンリンクサブフレームを別のセットにグループ化する。基地局装置は、上位層のシグナリングを用いて、複数のダウンリンクサブフレームセットの複数の構成をユーザ機器に通知する。上位層のシグナリング（Ｈｉｇｈｅｒ  Ｌａｙｅｒ  Ｓｉｇｎａｌｉｎｇ）が、上位層から送信されたシグナリングであり、物理層シグナリングと比較してより低速で受信され、ＲＲＣ（Ｒａｄｉｏ  Ｒｅｓｏｕｒｃｅ  Ｃｏｎｔｒｏｌ、無線リソース制御）シグナリング、ＭＡＣ（Ｍｅｄｉａ  Ａｃｃｅｓｓ  Ｃｏｎｔｒｏｌ、メディアアクセス制御）シグナリング、及び同様のものを含むことが留意されるべきである。
【００７１】
既存の非周期ＣＳＩ参照リソース構成規則によれば、ダウンリンクサブフレームセットにおいて非周期ＣＳＩ参照リソースが存在しないので、対応するダウンリンクサブフレームセットの非周期ＣＳＩが有効に報告されることができない場合があり得る。例えば、基地局装置が、複数のサブフレームを、第１ダウンリンクサブフレームセットと第２ダウンリンクサブフレームセットとにグループ化し、第１ダウンリンクサブフレームセットの非周期ＣＳＩは、有効に報告されることができない。従って、この実施形態において、非周期ＣＳＩ測定が、設定された参照サブフレーム（すなわち、第１参照サブフレーム）上において実行され、ここで、参照サブフレームは、第１ダウンリンクサブフレームセットにおけるサブフレームであり、参照サブフレーム上の非周期ＣＳＩ測定結果が、第１ダウンリンクサブフレームセットの非周期ＣＳＩ測定結果として用いられる。ユーザ機器は、１つ又は複数のアップリンクサブフレームを用いて、基地局装置に１つ又は複数の非周期ＣＳＩを送信し、基地局装置の受信ユニット１１は、ユーザ機器により送信された１つ又は複数の非周期ＣＳＩを受信し、それにより、第１ダウンリンクサブフレームセットの報告された非周期ＣＳＩが有効に受信されることを保証する。
【００７２】
第１ダウンリンクサブフレームセットにおいて１つより多くのサブフレームが存在する場合、複数の第１参照サブフレームとして設定されたサブフレームの数が、第１ダウンリンクサブフレームセットにおけるサブフレームの数以下であり、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内には１つの第１参照サブフレームしか存在せず、すなわち、１つの無線フレーム内において、ユーザ機器は、第１ダウンリンクサブフレームセットのＣＳＩ測定を、多くとも１つのダウンリンクサブフレーム上においてしか実行する必要がない。
【００７３】
さらに、第１参照サブフレームは、周期ＣＳＩ参照リソースが配置されているサブフレームに従って、設定される。好ましくは、第１参照サブフレームは、周期ＣＳＩ参照リソースが配置されているサブフレームと同じであるように設定される。言い換えれば、第１参照サブフレームは、第２参照サブフレームと同じであるように設定され、ここで、第２参照サブフレームは、周期ＣＳＩ参照リソースが配置されているサブフレームであり、すなわち、ユーザ機器は、第２参照サブフレーム上の周期ＣＳＩ測定を実行し、第２参照サブフレーム上の周期ＣＳＩ測定結果は、第１ダウンリンクサブフレームセットの周期ＣＳＩ測定結果であり、第２参照サブフレームは、第１ダウンリンクサブフレームセットにおけるサブフレームである。このように、ＵＥによる非周期ＣＳＩ測定及び周期ＣＳＩ測定を実行するプロセスにおいて要求される最小限のＵＥ能力に対する制限が低減される。
【００７４】
本発明のこの実施形態において提供されている基地局装置によれば、基地局装置が、ダウンリンクサブフレームセットにおいて設定された参照サブフレーム上にユーザ機器により実行された非周期ＣＳＩ測定の結果を受信することが分かる。このように、基地局装置が、ユーザ機器により送信された、ダウンリンクサブフレームセットの非周期チャネル状態測定結果を有効に受信することが保証され得る。
【００７５】
本発明の実施形態に係る別の基地局装置の概略構造図である図４を参照する。基地局装置２０００は、以下を備える。
【００７６】
第１ダウンリンクサブフレーム上において、ユーザ機器に非周期ＣＳＩトリガシグナリングを送信するよう構成される送信ユニット２１であって、非周期ＣＳＩトリガシグナリングは、第１ダウンリンクサブフレームセットの非周期ＣＳＩ測定結果を送信するよう、ユーザ機器に命令するのに用いられる、送信ユニット２１であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。
【００７７】
例えば、第１ダウンリンクサブフレームセットは、サブフレーム４及び９を含み、第１ダウンリンクサブフレームは、サブフレーム０であり、第１アップリンクサブフレームは、サブフレーム７であり、第２サブフレームは、サブフレーム３であり、第１ダウンリンクサブフレームと第２サブフレームとの間の複数のサブフレームが、サブフレーム０、１、２、及び３を含み、第１ダウンリンクサブフレームセットにおけるいずれのサブフレームも含まない。
【００７８】
この実施形態では、無線フレームのダウンリンクサブフレーム上において、基地局装置は、非周期ＣＳＩ報告を実行するようにユーザ機器をトリガし、ユーザ機器は、無線フレームのアップリンクサブフレーム上において非周期ＣＳＩ報告を実行し、非周期ＣＳＩ測定用の参照サブフレームは、トリガサブフレームと報告サブフレームの前４つ目のサブフレームとの間に配置されるべきであり、トリガサブフレームと報告サブフレームの前４つ目のサブフレームとの間のサブフレームが、基地局装置によるグループ化を介して得られたダウンリンクサブフレームセットを含まない場合、ダウンリンクサブフレームセットの非周期ＣＳＩは、有効に報告されることができない。ここで、トリガサブフレームは、第１ダウンリンクサブフレームであり、報告サブフレームは、第１アップリンクサブフレームである。
【００７９】
ユーザ機器により送信された少なくとも１つの非周期チャネル状態情報ＣＳＩを受信するよう構成される受信ユニット２２であって、少なくとも１つの非周期ＣＳＩは、第１参照サブフレーム上の非周期ＣＳＩ測定結果に対応する、受信ユニット２２であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【００８０】
トリガサブフレームと報告サブフレームの前４つ目のサブフレームとの間のサブフレームが、第１ダウンリンクサブフレームセットにおけるいずれのサブフレームも含まないと判断した場合、ユーザ機器は、設定された参照サブフレーム上において非周期ＣＳＩ測定を実行し、ここで、参照サブフレームは、第１ダウンリンクサブフレームセットにおけるサブフレームであり、参照サブフレーム上の非周期ＣＳＩ測定結果を、第１ダウンリンクサブフレームセットの非周期ＣＳＩ測定結果として用いる。ユーザ機器は、１つ又は複数のアップリンクサブフレームを用いて、基地局装置に１つ又は複数の非周期ＣＳＩを送信する。基地局装置の受信ユニット２２は、ユーザ機器により送信された１つ又は複数の非周期ＣＳＩを受信し、それにより、第１ダウンリンクサブフレームセットの報告された非周期ＣＳＩが有効に受信されることを保証する。
【００８１】
第１ダウンリンクサブフレームセットにおいて参照サブフレームを判断するためには、複数の以下の実装方式が存在する。
【００８２】
一実装方式において、送信ユニット２１は、ユーザ機器に第１シグナリングを送信するようさらに構成され、ここで、第１シグナリングは、第１参照サブフレームを示すのに用いられる。
【００８３】
第１サブフレームセットにおけるＣＳＩ参照サブフレームに対して、基地局装置の送信ユニット２１は、上位層のシグナリングを用いてＵＥに通知し、ＵＥに、各無線フレーム内には１つのＣＳＩ参照サブフレームしか存在しないことを通知し、それにより、ＵＥによる非周期ＣＳＩ測定を実行するプロセスにおいて要求される最小限のＵＥ能力に対する制限を低減させる。従来技術では、図２に示されているように、サブフレーム１２上において報告された非周期ＣＳＩに対応するＣＳＩ参照リソースが、サブフレーム４上に配置され得、サブフレーム７上において報告された非周期ＣＳＩに対応するＣＳＩ参照リソースが、サブフレーム９上に配置され得る。このことは問題をもたらし、すなわち、非周期ＣＳＩ報告がトリガされる前に、測定が事前に実行される必要がある。その結果、各無線フレーム内において、ＣＳＩ測定は、複数回にわたって実行される必要がある。基地局装置がどのサブフレームに非周期ＣＳＩ測定をトリガするかを知らないので、ＵＥは、各無線フレームのサブフレーム４及び９上において測定を実行する必要があり、これにより、対応するＣＳＩ情報を報告するために準備する。従って、基地局が非周期ＣＳＩトリガを実行しない場合、ＵＥは、各無線フレーム内において、不必要であり得る測定を実行する。
【００８４】
図５に示されているように、基地局は、上位層のシグナリングを用いることによって、各無線フレーム内において非周期ＣＳＩ用の参照サブフレームがサブフレーム４に固定されていることを、ＵＥに通知する。非周期ＣＳＩトリガサブフレームがどの位置に配置されているかに関係なく、この例において、トリガ位置は、ダウンリンクサブフレーム０又は５であってよく、ＵＥは、サブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告する。又は、非周期ＣＳＩがサブフレーム０上においてトリガされた場合、ＵＥは、前の無線サブフレームにおけるサブフレーム４上のＣＳＩ測定結果を報告する。
【００８５】
別の実装方式において、第１参照サブフレームは、第１ダウンリンクサブフレームセットから、ユーザ機器によりランダムに選択されるサブフレームである。
【００８６】
第１サブフレームセットにおける非周期ＣＳＩ参照サブフレームに対して、ＵＥは、各無線フレーム内において、対応する報告サブフレームと同じサブフレームセットにおけるサブフレームをＣＳＩ参照サブフレームとして選択し、それにより、ＵＥによる非周期ＣＳＩ測定を実行するプロセスにおいて要求される最小限のＵＥ能力に対する制限を低減させる。
【００８７】
図６に示されているように、ＵＥは、サブフレーム４又はサブフレーム９を、非周期ＣＳＩ用の参照サブフレームとして柔軟に選択し得る。従って、この方法を用いることによって、ＵＥに対する最小限の要件が、有効に低減されることができ、これにより、各無線フレーム内において、ＵＥは、ＣＳＩ測定情報を一度だけ更新することによって、非周期ＣＳＩ報告の間に、無線フレーム又は前の無線フレーム上の測定を介して得られて最新の第１サブフレームセットに対応する非周期ＣＳＩ測定情報を報告することができる。
【００８８】
この実施形態において固定されたＣＳＩ参照サブフレームが存在しないので、対応する報告された非周期ＣＳＩを受信した後に、基地局装置は、具体的なＣＳＩ参照サブフレーム構成を特定しないが、基地局装置は、非周期ＣＳＩに含まれるコンテンツが、最新の２つの無線フレームの複数の第１サブフレームセットにおけるダウンリンクサブフレーム上の対応する測定を介して得られる結果であると判断し得る。
【００８９】
また別の実装方式において、第１参照サブフレームは、ユーザ機器により、予め設定された規則に従って、第１ダウンリンクサブフレームセットにおいて、判断されたサブフレームであり、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含み、送信ユニット２１は、ユーザ機器に、第２シグナリングを送信するようさらに構成され、ここで、第２シグナリングは、予め設定された規則を示すのに用いられる。
【００９０】
第１サブフレームセットにおける非周期ＣＳＩ参照サブフレームに対して、予め定義された規則が用いられ、測定が、各無線フレーム内において、１つの非周期ＣＳＩ参照リソースのみに対して実行され、これにより、ＵＥによる非周期ＣＳＩ測定を実行するプロセスにおいて要求される最小限のＵＥ能力に対する制限が低減される。非周期ＣＳＩ参照サブフレームは、複数の報告された非周期ＣＳＩに対応し得る。
【００９１】
予め定義された規則は、同じ種類のＣＳＩ報告に対応するダウンリンクサブフレームのセットが、サブフレームインデックス（ｓｕｂｆｒａｍｅ  ｉｎｄｅｘ）に従ってソーティングされ、サブフレームインデックスが最大、又はサブフレームインデックスが最小のサブフレームが、サブフレームセット２に対応するＣＳＩ参照サブフレームとして選択されることであり得る。
【００９２】
図５に示されているように、基地局装置により送信されたダウンリンクサブフレームグレープ化情報に従って、第１サブフレームセットに含まれる複数のダウンリンクサブフレーム（サブフレーム４及び９）についての情報が得られることができる。第１サブフレームセットは、先述の非周期ＣＳＩ参照サブフレーム構成の問題を有するので、非周期ＣＳＩトリガが、サブフレーム０又はサブフレーム５上において実行されるか否かにかかわらず、２つの可能な非周期ＣＳＩトリガサブフレームに対応するＣＳＩ参照サブフレームを判断する必要がある。ソーティングが複数のサブフレームインデックスに従って実行され、サブフレームインデックスが最小のサブフレームが、サブフレームセット２に対応するＣＳＩ参照サブフレームとして用いられる場合、この例において、サブフレーム４は、各無線フレームにおける参照サブフレームとして選択される。サブフレームインデックスが最大のサブフレームが、サブフレームセット２に対応するＣＳＩ参照サブフレームとして用いられる場合、この例において、サブフレーム９は、各無線フレームにおける参照サブフレームとして選択される。 
【００９３】
選択が最小のサブフレームインデックスに従って実行された場合、サブフレーム４は、非周期ＣＳＩ用の参照サブフレームである。非周期トリガサブフレームがどの位置に配置されるかに関係なく、この例において、トリガ位置が、ダウンリンクサブフレーム０又は５であってよく、ＵＥは、サブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告し、又は、非周期ＣＳＩがサブフレーム０上においてトリガされた場合、ＵＥは、前の無線サブフレームにおけるサブフレーム４上のＣＳＩ測定結果を報告する。
【００９４】
第１ダウンリンクサブフレームセットにおいて１つより多くのサブフレームが存在する場合、第１参照サブフレームとして設定されたサブフレームの数が、第１ダウンリンクサブフレームセットにおけるサブフレームの数以下であり、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内には１つの第１参照サブフレームしか存在せず、すなわち、１つの無線フレーム内において、ユーザ機器は、第１ダウンリンクサブフレームセットのＣＳＩ測定を、多くとも１つのダウンリンクサブフレーム上においてしか実行する必要がない。
【００９５】
本発明のこの実施形態において提供されている基地局装置によれば、基地局装置が、ダウンリンクサブフレームセットにおいて設定された参照サブフレーム上にユーザ機器により実行された非周期ＣＳＩ測定結果を受信することが分かる。このように、基地局装置が、ユーザ機器により送信された、ダウンリンクサブフレームセットの非周期チャネル状態測定結果を有効に受信することを保証することができる。参照サブフレームは、命令通知に従って判断されてよく、又は、ユーザ機器により選択されてよく、若しくは、基地局装置とユーザ機器とが承諾した予め設定された規則に従って判断されてよく、実装プロセスが簡便である。
【００９６】
本発明の実施形態に係るユーザ機器の概略構造図である図７を参照する。ユーザ機器３０００は、以下を備える。
【００９７】
第１参照サブフレームを判断するよう構成される判断ユニット３１である。
【００９８】
この実施形態では、例えば、動的ＴＤＤサブフレーム構成がＬＴＥシステムにおいて用いられ、ローカルセル及び近隣セルのサブフレーム構成における複数の変更が異なってよく、近隣セルは、ローカルセルに対して、同方向干渉又は逆方向干渉を引き起こし得る。近隣セルのサブフレーム構成によれば、ローカルセルの基地局装置は、ローカルセルのどのダウンリンクサブフレームが近隣セルの複数のサブフレームからの逆方向干渉の対象であり得るかを判断することができ、次に、これらのサブフレームを１つのセットにグループ化し、近隣セルの複数のサブフレームからの同方向干渉のみの対象である、ローカルセルの複数のダウンリンクサブフレームを別のセットにグループ化する。基地局装置は、上位層のシグナリングを用いることによって、複数のダウンリンクサブフレームセットの複数の構成をユーザ機器に通知する。
【００９９】
既存の非周期ＣＳＩ参照リソース構成規則によれば、ダウンリンクサブフレームセットにおける非周期ＣＳＩ参照リソースが存在しないので、対応するダウンリンクサブフレームセットの非周期ＣＳＩは有効に報告されることができない場合があり得る。例えば、基地局装置が、複数のサブフレームを、第１ダウンリンクサブフレームセットと第２ダウンリンクサブフレームセットとにグループ化し、第１ダウンリンクサブフレームセットの非周期ＣＳＩが、有効に報告されることができない。従って、この実施形態において、非周期ＣＳＩ測定は、設定された参照サブフレーム（すなわち、第１参照サブフレーム）上において実行される。判断ユニット３１はまず、参照サブフレームを判断する必要があり、ここで、参照サブフレームは、第１ダウンリンクサブフレームセットにおけるサブフレームである。参照サブフレームは、複数の方式において判断されてよく、例えば、命令通知に従って判断されてよく、又は、ユーザ機器により選択されてよく、若しくは、基地局装置とユーザ機器とが承諾した予め設定された規則に従って判断されてよく、本明細書においては限定されない。
【０１００】
第１ダウンリンクサブフレームセットにおいて１つより多くのサブフレームが存在する場合、第１参照サブフレームとして設定されたサブフレームの数が、第１ダウンリンクサブフレームセットにおけるサブフレームの数以下である場合、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内に１つの第１参照サブフレームしか存在せず、すなわち、１つの無線フレーム内において、ユーザ機器は、多くとも１つのダウンリンクサブフレーム上においてしか第１ダウンリンクサブフレームセットのＣＳＩ測定を実行する必要がない。
【０１０１】
さらに、第１参照サブフレームは、周期ＣＳＩ参照リソースが配置されるサブフレームに従って判断される。好ましくは、第１参照サブフレームは、周期ＣＳＩ参照リソースが配置されているサブフレームと同じであると判断される。言い換えれば、第１参照サブフレームが第２参照サブフレームと同じであると判断され、ここで、第２参照サブフレームは、周期ＣＳＩ参照リソースが配置されているサブフレームであり、すなわち、ユーザ機器は、第２参照サブフレーム上において周期ＣＳＩ測定を実行し、第２参照サブフレーム上の周期ＣＳＩ測定結果が、第１ダウンリンクサブフレームセットの周期ＣＳＩ測定結果であり、第２参照サブフレームは、第１ダウンリンクサブフレームセットにおけるサブフレームである。このように、ＵＥによる非周期ＣＳＩ測定及び周期ＣＳＩ測定を実行するプロセスにおいて要求される最小限のＵＥ能力に対する制限が低減される。
【０１０２】
第１参照サブフレーム上において非周期チャネル状態情報ＣＳＩ測定を実行するよう構成される測定ユニット３２である。
【０１０３】
測定ユニット３２は、既存の測定方式で参照サブフレーム上において非周期ＣＳＩ測定を実行してよく、ここでは、説明されない。
【０１０４】
基地局装置に少なくとも１つの非周期ＣＳＩを送信するよう構成される送信ユニット３３であって、少なくとも１つの非周期ＣＳＩ情報は、第１参照サブフレーム上の非周期ＣＳＩ測定結果に対応する、送信ユニット３３であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１０５】
この実施形態では、参照サブフレーム上の非周期ＣＳＩ測定結果が、第１ダウンリンクサブフレームセットの非周期ＣＳＩ測定結果として用いられ、送信ユニット３３は、１つ又は複数のアップリンクサブフレームを用いることによって、基地局装置に１つ又は複数の非周期ＣＳＩを送信し、基地局装置は、送信ユニット３３により送信された１つ又は複数の非周期ＣＳＩを受信し、それにより、第１ダウンリンクサブフレームセットの報告された非周期ＣＳＩが有効に受信されることを保証する。
【０１０６】
本発明のこの実施形態において提供されているユーザ機器によれば、ユーザ機器が、ダウンリンクサブフレームセットにおいて設定された参照サブフレーム上に非周期ＣＳＩ測定を実行し、基地局装置に測定結果を送信することが分かる。このように、基地局装置は、ユーザ機器により送信された、ダウンリンクサブフレームセットの非周期チャネル状態測定結果を有効に受信することを保証することができる。
【０１０７】
本発明の実施形態に係る別のユーザ機器の概略構造図である図８を参照する。ユーザ機器４０００は、以下を備える。
【０１０８】
第１参照サブフレームを判断するよう構成される判断ユニット４１である。
【０１０９】
判断ユニット４１により参照サブフレームを判断するための方式については、複数の以下の実装方式で詳細に説明される。
【０１１０】
第１参照サブフレーム上において非周期チャネル状態情報ＣＳＩ測定を実行するよう構成される測定ユニット４２である。
【０１１１】
第１ダウンリンクサブフレーム上において、基地局装置により送信された非周期ＣＳＩトリガシグナリングを受信するよう構成される受信ユニット４３であって、非周期ＣＳＩトリガシグナリングは、第１ダウンリンクサブフレームセットの非周期ＣＳＩ測定結果を送信するよう、ユーザ機器に命令するのに用いられる、受信ユニット４３であり、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【０１１２】
この実施形態では、無線フレームのダウンリンクサブフレーム上において、基地局装置は、非周期ＣＳＩ報告を実行するようにユーザ機器をトリガし、ユーザ機器は、無線フレームのアップリンクサブフレーム上において非周期ＣＳＩ報告を実行し、非周期ＣＳＩ測定用の参照サブフレームは、トリガサブフレームと報告サブフレームの前４つ目のサブフレームとの間に配置されるべきであり、トリガサブフレームと報告サブフレームの前４つ目のサブフレームとの間のサブフレームが、基地局装置によるグループ化を介して得られたダウンリンクサブフレームセットを含まない場合、ダウンリンクサブフレームセットの非周期ＣＳＩは有効に報告されることができない。ここで、トリガサブフレームは、第１ダウンリンクサブフレームであり、報告サブフレームは、第１アップリンクサブフレームである。受信ユニット４３は、第１ダウンリンクサブフレーム上において、基地局装置により送信された非周期ＣＳＩトリガシグナリングを受信し、これにより、参照サブフレーム上において非周期ＣＳＩ測定を実行し、アップリンクサブフレーム上の非周期ＣＳＩ測定結果を報告するようにユーザ機器をトリガする。
【０１１３】
基地局装置に、少なくとも１つの非周期ＣＳＩを送信するよう構成される送信ユニット４４であって、少なくとも１つの非周期ＣＳＩ情報は、第１参照サブフレーム上の非周期ＣＳＩ測定結果に対応する、送信ユニット４４であり、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１１４】
送信ユニット４４の機能が、図７に示されている実施形態における送信ユニット３３の機能と同じであり、ここでは説明されない。
【０１１５】
以下にて、参照サブフレームを判断するためのいくつかの実装方式を紹介する。
【０１１６】
一実装方式では、受信ユニット４３は、基地局装置により送信された第１シグナリングを受信するようさらに構成され、ここで、第１シグナリングは、第１参照サブフレームを示すのに用いられ、判断ユニット４１は、第１シグナリングに従って第１参照サブフレームを判断するよう具体的に構成される。
【０１１７】
第１サブフレームセットにおけるＣＳＩ参照サブフレームに対して、基地局装置は、上位層のシグナリングを用いてＵＥに通知し、ＵＥに、各無線フレーム内には１つのＣＳＩ参照サブフレームしか存在しないことを通知し、それにより、ＵＥによる非周期ＣＳＩ測定を実行するプロセスにおいて要求される最小限のＵＥ能力に対する制限を低減させる。従来技術では、図２に示されているように、サブフレーム１２上において報告された非周期ＣＳＩに対応するＣＳＩ参照リソースが、サブフレーム４上に配置され得、サブフレーム７上において報告された非周期ＣＳＩに対応するＣＳＩ参照リソースがサブフレーム９上に配置され得る。このことは、問題をもたらし、すなわち、非周期ＣＳＩ報告がトリガされる前に、測定が事前に実行される必要がある。その結果、各無線フレーム内に、ＣＳＩ測定は、複数回にわたって実行される必要がある。基地局装置がどのサブフレーム上において非周期ＣＳＩ測定をトリガするかを知らないので、ＵＥは、各無線フレームのサブフレーム４及び９上において測定を実行する必要があり、これにより、対応するＣＳＩ情報を報告するために準備する。従って、基地局が非周期ＣＳＩトリガを実行しない場合、ＵＥは、各無線フレーム内において、不必要であり得る測定を実行する。
【０１１８】
図５に示されているように、基地局は、上位層のシグナリングを用いることによって、各無線フレーム内において、非周期ＣＳＩ用の参照サブフレームがサブフレーム４に固定されていることをＵＥに通知する。非周期ＣＳＩトリガサブフレームがどの位置に配置されるかに関係なく、この例において、トリガ位置は、ダウンリンクサブフレーム０又は５であり得、ＵＥは、サブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告し、又は、非周期ＣＳＩがサブフレーム０上においてトリガされた場合、ＵＥは、前の無線サブフレームにおけるサブフレーム４上のＣＳＩ測定結果を報告する。
【０１１９】
別の実装方式において、受信ユニット４３は、基地局装置により送信された第２シグナリングを受信するようさらに構成され、ここで、第２シグナリングは、予め設定された規則を示すのに用いられ、判断ユニット４１は、予め設定された規則に従って第１参照サブフレームを判断するよう具体的に構成され、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【０１２０】
第１サブフレームセットにおける非周期ＣＳＩ参照サブフレームに対して、予め定義された規則が用いられ、各無線フレーム内において、１つの非周期ＣＳＩ参照リソース上のみ、測定が実行され、これにより、ＵＥによる非周期ＣＳＩ測定を実行するプロセスにおいて要求される最小限のＵＥ能力に対する制限が低減される。非周期ＣＳＩ参照サブフレームは、複数の報告された非周期ＣＳＩに対応し得る。
【０１２１】
予め定義された規則は、同じ種類のＣＳＩ報告に対応するダウンリンクサブフレームのセットが、サブフレームインデックス（ｓｕｂｆｒａｍｅ  ｉｎｄｅｘ）に従ってソーティングされ、サブフレームインデックスが最大、又はサブフレームインデックスが最小のサブフレームが、サブフレームセット２に対応するＣＳＩ参照サブフレームとして選択されることであり得る。
【０１２２】
図５に示されているように、基地局装置により送信されたダウンリンクサブフレームグレープ化情報に従って、第１サブフレームセットに含まれる複数のダウンリンクサブフレーム（サブフレーム４及び９）についての情報が得られることができる。第１サブフレームセットが先述の非周期ＣＳＩ参照サブフレーム構成の問題を有するので、非周期ＣＳＩトリガがサブフレーム０又はサブフレーム５上において実行されるか否かに関係なく、２つの可能な非周期ＣＳＩトリガサブフレームに対応するＣＳＩ参照サブフレームを判断する必要がある。ソーティングが複数のサブフレームインデックスに従って実行され、サブフレームインデックスが最小のサブフレームが、サブフレームセット２に対応するＣＳＩ参照サブフレームとして用いられる場合、この例において、サブフレーム４は、各無線フレームにおける参照サブフレームとして選択され、サブフレームインデックスが最大なサブフレームが、サブフレームセット２に対応するＣＳＩ参照サブフレームとして用いられる場合、この例において、サブフレーム９は、各無線フレームにおける参照サブフレームとして選択される。
【０１２３】
選択が最小のサブフレームインデックスに従って実行された場合、サブフレーム４は、非周期ＣＳＩ用の参照サブフレームである。非周期トリガサブフレームがどの位置に配置されているかに関係なく、この例において、トリガ位置が、ダウンリンクサブフレーム０又は５であってよく、ＵＥは、サブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告し、又は、非周期ＣＳＩがサブフレーム０上においてトリガされた場合、ＵＥは、前の無線サブフレームにおけるサブフレーム４上のＣＳＩ測定結果を報告する。
【０１２４】
また別の実装方式において、本発明の実施形態に係るまた別のユーザ機器の概略構造図である図９を参照し、ユーザ機器５０００における判断ユニット５１が、選択ユニット５１１をさらに含み、選択ユニット５１１は、第１ダウンリンクサブフレームセットから、サブフレームを第１参照サブフレームとしてランダムに選択するよう構成される。ユーザ機器５０００における複数の他のユニットの複数の機能が、図７及び図８に示されている複数の実施形態の複数の対応するユニットの複数の機能と同じ又は同様であり、ここでは、説明されない。
【０１２５】
第１サブフレームセットにおける非周期ＣＳＩ参照サブフレームに対して、ＵＥは、各無線フレーム内において、対応する報告サブフレームセットと同じサブフレームセットにおけるサブフレームを、ＣＳＩ参照サブフレームとして選択し、それにより、ＵＥによる非周期ＣＳＩ測定を実行するプロセスにおいて要求されている最小限のＵＥ能力に対する制限を低減させる。
【０１２６】
図６に示されているように、ＵＥは、サブフレーム４又はサブフレーム９を、非周期ＣＳＩ用の参照サブフレームとして、柔軟に選択し得る。従って、この方法を用いることによって、ＵＥに対する最小限の要件が、有効に低減されることができ、これにより、各無線フレーム内において、ＵＥは、ＣＳＩ測定情報を一度だけ更新することによって、非周期ＣＳＩ報告の間に、無線フレーム又は前の無線フレーム上の測定を介して得られて最新の第１サブフレームセットに対応する非周期ＣＳＩ測定情報を報告することができる。
【０１２７】
この実施形態では固定されたＣＳＩ参照サブフレームが存在しないので、対応する報告された非周期ＣＳＩを受信した後に、基地局装置は、具体的なＣＳＩ参照サブフレーム構成を特定しないが、基地局装置は、非周期ＣＳＩに含まれるコンテンツが、最新の２つの無線フレームの複数の第１サブフレームセットにおけるダウンリンクサブフレーム上の対応する測定を介して得られた結果であると判断し得る。
【０１２８】
本発明のこの実施形態において提供されているユーザ機器によれば、ユーザ機器は、ダウンリンクサブフレームセットにおいて設定された参照サブフレーム上に非周期ＣＳＩ測定を実行し、基地局装置に、測定結果を送信することが分かる。このように、ユーザ機器により送信された、ダウンリンクサブフレームセットの非周期チャネル状態測定結果を基地局装置が有効に受信することを保証することができ、参照サブフレームは、命令通知に従って判断されてよく、又は、ユーザ機器により選択されてよく、若しくは、基地局装置とユーザ機器とが承諾した予め設定された規則に従って判断されてよく、実装プロセスが簡便である。
【０１２９】
本発明の実施形態に係るまた別の基地局装置の概略構造図である図１０を参照する。基地局装置６０００は、以下を備える。ユーザ機器により送信された少なくとも１つの非周期チャネル状態情報ＣＳＩを受信するよう構成される受信機６１であって、少なくとも１つの非周期ＣＳＩは、第１参照サブフレーム上の非周期ＣＳＩ測定結果に対応する、受信機６１であり、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１３０】
この実施形態では、例えば、動的ＴＤＤサブフレーム構成が、ＬＴＥシステムにおいて用いられ、ローカルセル及び近隣セルのサブフレーム構成における複数の変更が、異なってよく、近隣セルは、ローカルセルに対して、同方向干渉又は逆方向干渉を引き起こし得る。近隣セルのサブフレーム構成によれば、ローカルセルの基地局装置が、ローカルセルのどのダウンリンクサブフレームが近隣セルの複数のサブフレームからの逆方向干渉の対象であり得るかを判断することができ、次に、これらのサブフレームを１つのセットにグループ化し、近隣セルの複数のサブフレームからの同方向干渉のみの対象であるローカルセルの複数のダウンリンクサブフレームを別のセットにグループ化する。基地局装置は、上位層のシグナリングを用いて、ユーザ機器に、複数のダウンリンクサブフレームセットの複数の構成を通知する。上位層のシグナリングは、上位層から送信されるシグナリングであり、物理層シグナリングと比較してより低速で受信され、ＲＲＣシグナリング、ＭＡＣシグナリング、及び同様のものを含むことが留意されるべきである。
【０１３１】
既存の非周期ＣＳＩ参照リソース構成規則によれば、ダウンリンクサブフレームセットにおいて非周期ＣＳＩ参照リソースが存在しないので、対応するダウンリンクサブフレームセットの非周期ＣＳＩは、有効に報告されることができない場合があり得る。例えば、基地局装置が、複数のサブフレームを第１ダウンリンクサブフレームセットと第２ダウンリンクサブフレームセットとにグループ化し、第１ダウンリンクサブフレームセットの非周期ＣＳＩは、有効に報告されることができない。従って、この実施形態において、非周期ＣＳＩ測定は、設定された参照サブフレーム（すなわち、第１参照サブフレーム）上において実行され、ここで、参照サブフレームは、第１ダウンリンクサブフレームセットにおけるサブフレームであり、参照サブフレーム上の非周期ＣＳＩ測定結果は、第１ダウンリンクサブフレームセットの非周期ＣＳＩ測定結果として用いられる。ユーザ機器は、１つ又は複数のアップリンクサブフレームを用いて、基地局装置に１つ又は複数の非周期ＣＳＩを送信し、受信機６１は、ユーザ機器により送信された１つ又は複数の非周期ＣＳＩを受信し、それにより、第１ダウンリンクサブフレームセットの報告された非周期ＣＳＩが有効に受信されることを保証する。
【０１３２】
第１ダウンリンクサブフレームセットにおいて１つより多くのサブフレームが存在する場合、第１参照サブフレームとして設定されたサブフレームの数が、第１ダウンリンクサブフレームセットにおけるサブフレームの数以下であり、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内には１つの第１参照サブフレームしか存在せず、すなわち、１つの無線フレーム内において、ユーザ機器は、多くとも１つのダウンリンクサブフレーム上においてしか第１ダウンリンクサブフレームセットのＣＳＩ測定を実行する必要がない。
【０１３３】
さらに、第１参照サブフレームは、周期ＣＳＩ参照リソースが配置されているサブフレームに従って設定される。好ましくは、第１参照サブフレームは、周期ＣＳＩ参照リソースが配置されているサブフレームと同じように設定される。言い換えれば、第１参照サブフレームは、第２参照サブフレームと同じように設定され、ここで、第２参照サブフレームは、周期ＣＳＩ参照リソースが配置されているサブフレームであり、すなわち、ユーザ機器は、第２参照サブフレーム上において周期ＣＳＩ測定を実行し、第２参照サブフレーム上の周期ＣＳＩ測定結果は、第１ダウンリンクサブフレームセットの周期ＣＳＩ測定結果であり、第２参照サブフレームは、第１ダウンリンクサブフレームセットにおけるサブフレームである。このように、ＵＥによる非周期ＣＳＩ測定及び周期ＣＳＩ測定を実行するプロセスにおいて要求されている最小限のＵＥ能力に対する制限が低減される。
【０１３４】
受信機６１の具体的な機能の実装については、先述の実施形態の説明を参照する。
【０１３５】
本発明のこの実施形態において提供されている基地局装置によれば、基地局装置が、ダウンリンクサブフレームセットにおいて設定された参照サブフレーム上にユーザ機器により実行された非周期ＣＳＩ測定の結果を受信することが分かる。このように、ユーザ機器により送信された、ダウンリンクサブフレームセットの非周期チャネル状態測定結果を基地局装置が有効に受信することを保証することができる。
【０１３６】
本発明の実施形態に係るまた別の基地局装置の概略構造図である図１１を参照する。基地局装置７０００は、以下を備える。
【０１３７】
第１ダウンリンクサブフレーム上において、ユーザ機器に非周期ＣＳＩトリガシグナリングを送信するよう構成される伝送機７１であって、非周期ＣＳＩトリガシグナリングは、第１ダウンリンクサブフレームセットの非周期ＣＳＩ測定結果を送信するよう、ユーザ機器に命令するのに用いられる、伝送機７１であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。
【０１３８】
この実施形態では、無線フレームのダウンリンクサブフレーム上において、基地局装置は、非周期ＣＳＩ報告を実行するようにユーザ機器をトリガし、ユーザ機器は、無線フレームのアップリンクサブフレーム上において非周期ＣＳＩ報告を実行し、非周期ＣＳＩ測定用の参照サブフレームは、トリガサブフレームと報告サブフレームの前４つ目のサブフレームとの間に配置されるべきであり、トリガサブフレームと報告サブフレームの前の４つ目のサブフレームとの間のサブフレームが、基地局装置によるグループ化を介して得られたダウンリンクサブフレームセットを含まない場合、ダウンリンクサブフレームセットの非周期ＣＳＩは、有効に報告されることができない。ここで、トリガサブフレームは、第１ダウンリンクサブフレームであり、報告サブフレームは、第１アップリンクサブフレームである。
【０１３９】
一実装方式において、伝送機７１は、ユーザ機器に第１シグナリングを送信するようさらに構成され、ここで、第１シグナリングは、第１参照サブフレームを示すのに用いられる。
【０１４０】
別の実装方式において、第１参照サブフレームは、第１ダウンリンクサブフレームセットから、ユーザ機器によりランダムに選択されるサブフレームである。
【０１４１】
また別の実装方式において、第１参照サブフレームは、予め設定された規則に従って、ユーザ機器により、第１ダウンリンクサブフレームセットにおいて判断されるサブフレームであり、ここで、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含み、伝送機７１は、ユーザ機器に、第２シグナリングを送信するようさら構成され、ここで、第２シグナリングは、予め設定された規則を示すのに用いられる。
【０１４２】
ユーザ機器により送信された少なくとも１つの非周期チャネル状態情報ＣＳＩを受信するよう構成される受信機７２であって、少なくとも１つの非周期ＣＳＩは、第１参照サブフレーム上の非周期ＣＳＩ測定結果に対応する、受信機７２であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１４３】
トリガサブフレームと報告サブフレームの前４つ目のサブフレームとの間のサブフレームが、第１ダウンリンクサブフレームセットにおけるいずれのサブフレームも含まないと判断した場合、ユーザ機器は、設定された参照サブフレーム上の非周期ＣＳＩ測定を実行し、ここで、参照サブフレームは、第１ダウンリンクサブフレームセットにおけるサブフレームであり、参照サブフレーム上の非周期ＣＳＩ測定結果を、第１ダウンリンクサブフレームセットの非周期ＣＳＩ測定結果として用いる。ユーザ機器は、１つ又は複数のアップリンクサブフレームを用いて、基地局装置に１つ又は複数の非周期ＣＳＩを送信し、受信機７２は、ユーザ機器により送信された１つ又は複数の非周期ＣＳＩを受信し、それにより、第１ダウンリンクサブフレームセットの報告された非周期ＣＳＩが有効に受信されることを保証する。
【０１４４】
伝送機７１及び受信機７２の具体的な機能の実装については、先述の実施形態の説明を参照する。
【０１４５】
本発明のこの実施形態において提供されている基地局装置によれば、基地局装置が、ダウンリンクサブフレームセットにおいて設定された参照サブフレーム上にユーザ機器により実行される非周期ＣＳＩ測定の結果を受信することが分かる。このように、基地局装置が、ユーザ機器により送信された、ダウンリンクサブフレームセットの非周期チャネル状態測定結果を有効に受信することを保証することができ、参照サブフレームは、命令通知に従って判断されてよく、又はユーザ機器により選択されてよく、若しくは、基地局装置とユーザ機器とが承諾した予め設定された規則に従って判断されてよく、実装プロセスが簡便である。
【０１４６】
本発明の実施形態に係るまた別のユーザ機器の概略構造図である図１２を参照する。ユーザ機器８０００は、以下を備える。
【０１４７】
第１参照サブフレームを判断するよう構成されるプロセッサ８１である。
【０１４８】
この実施形態において、例えば、動的ＴＤＤサブフレーム構成がＬＴＥシステムにおいて用いられ、ローカルセル及び近隣セルのサブフレーム構成における複数の変更が異なってよく、近隣セルは、ローカルセルに対して同方向干渉又は逆方向干渉を引き起こし得る。近隣セルのサブフレーム構成によれば、ローカルセルの基地局装置が、ローカルセルのどのダウンリンクサブフレームが近隣セルの複数のサブフレームからの逆方向干渉の対象であり得るかを判断することができ、次に、これらのサブフレームを１つのセットにグループ化し、近隣セルの複数のサブフレームからの同方向干渉のみの対象である、ローカルセルの複数のダウンリンクサブフレームを別のセットにグループ化する。基地局装置は、上位層のシグナリングを用いて、ユーザ機器に、複数のダウンリンクサブフレームセットの複数の構成を通知する。
【０１４９】
既存の非周期ＣＳＩ参照リソース構成規則によれば、ダウンリンクサブフレームセットにおいて非周期ＣＳＩ参照リソースが存在しないので、対応するダウンリンクサブフレームセットの非周期ＣＳＩが有効に報告されることができない場合があり得る。例えば、基地局装置が、複数のサブフレームを、第１ダウンリンクサブフレームセットと第２ダウンリンクサブフレームセットとにグループ化し、第１ダウンリンクサブフレームセットの非周期ＣＳＩは、有効に報告されることができない。従って、この実施形態において、非周期ＣＳＩ測定が設定された参照サブフレーム（すなわち、第１参照サブフレーム）上において実行される。プロセッサ８１はまず、参照サブフレームを判断する必要があり、ここで、参照サブフレームは、第１ダウンリンクサブフレームセットにおけるサブフレームである。参照サブフレームは、複数の方式で判断されてよく、例えば、命令通知に従って判断されてよく、又はユーザ機器により選択されてよく、若しくは、基地局装置とユーザ機器とが承諾した予め設定された規則により判断されてよく、本明細書においては限定されない。
【０１５０】
第１ダウンリンクサブフレームセットにおいて１つより多くのサブフレームが存在する場合、第１参照サブフレームとして設定されたサブフレームの数が、第１ダウンリンクサブフレームセットにおけるサブフレームの数以下であり、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内には１つの第１参照サブフレームしか存在せず、すなわち、１つの無線フレーム内において、ユーザ機器は、多くとも１つのダウンリンクサブフレーム上においてしか第１ダウンリンクサブフレームセットのＣＳＩ測定を実行する必要がない。
【０１５１】
さらに、第１参照サブフレームは、周期ＣＳＩ参照リソースが配置されているサブフレームに従って判断される。好ましくは、第１参照サブフレームは、周期ＣＳＩ参照リソースが配置されているサブフレームと同じであると判断される。言い換えれば、第１参照サブフレームが第２参照サブフレームと同じであると判断され、ここで、第２参照サブフレームは、周期ＣＳＩ参照リソースが配置されているサブフレームであり、すなわち、ユーザ機器は、第２参照サブフレーム上において周期ＣＳＩ測定を実行し、第２参照サブフレーム上の周期ＣＳＩ測定結果は、第１ダウンリンクサブフレームセットの周期ＣＳＩ測定結果であり、第２参照サブフレームは、第１ダウンリンクサブフレームセットにおけるサブフレームである。このように、ＵＥによる非周期ＣＳＩ測定及び周期ＣＳＩ測定を実行するプロセスにおいて要求される最小限のＵＥ能力に対する制限が低減される。
【０１５２】
プロセッサ８１は、第１参照サブフレーム上において非周期チャネル状態情報ＣＳＩ測定を実行するようさらに構成される。
【０１５３】
プロセッサ８１は、既存の測定方式で参照サブフレーム上において非周期ＣＳＩ測定を実行してよく、ここでは説明されない。
【０１５４】
基地局装置に少なくとも１つの非周期ＣＳＩを送信するよう構成される伝送機８２であって、少なくとも１つの非周期ＣＳＩ情報は、第１参照サブフレーム上の非周期ＣＳＩ測定結果に対応する、伝送機８２であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１５５】
この実施形態では、参照サブフレーム上の非周期ＣＳＩ測定結果が、第１ダウンリンクサブフレームセットの非周期ＣＳＩ測定結果として用いられ、伝送機８２は、１つ又は複数のアップリンクサブフレームを用いることによって、基地局装置に１つ又は複数の非周期ＣＳＩを送信し、基地局装置は、伝送機８２により送信された１つ又は複数の非周期ＣＳＩを受信し、それにより、第１ダウンリンクサブフレームセットの報告された非周期ＣＳＩが有効に受信されることを保証する。
【０１５６】
プロセッサ８１及び伝送機８２の具体的な機能の実装について、先述の実施形態の説明が参照され得る。
【０１５７】
本発明のこの実施形態において提供されているユーザ機器によれば、ユーザ機器が、ダウンリンクサブフレームセットにおいて設定された参照サブフレーム上に非周期ＣＳＩ測定を実行し、基地局装置に測定結果を送信することが分かる。このように、ユーザ機器により送信された、ダウンリンクサブフレームセットの非周期チャネル状態測定結果を基地局装置が有効に受信することを保証することができる。
【０１５８】
本発明の実施形態に係るまた別のユーザ機器の概略構造図である図１３を参照する。ユーザ機器９０００は、以下を備える。
【０１５９】
第１ダウンリンクサブフレーム上において、基地局装置により送信された非周期ＣＳＩトリガシグナリングを受信するよう構成される受信機９１であって、非周期ＣＳＩトリガシグナリングは、第１ダウンリンクサブフレームセットの非周期ＣＳＩ測定結果を送信するよう、ユーザ機器に命令するのに用いられる、受信機９１であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【０１６０】
この実施形態では、基地局装置は、無線フレームのダウンリンクサブフレーム上において、非周期ＣＳＩ報告を実行するようにユーザ機器をトリガし、ユーザ機器は、無線フレームのアップリンクサブフレーム上において非周期ＣＳＩ報告を実行し、非周期ＣＳＩ測定用の参照サブフレームが、トリガサブフレームと報告サブフレームの前４つ目のサブフレームとの間に配置されるべきであり、トリガサブフレームと報告サブフレームの前４つ目のサブフレームとの間のサブフレームが、基地局装置によるグループ化を介して得られたダウンリンクサブフレームセットを含まない場合、ダウンリンクサブフレームセットの非周期ＣＳＩは、有効に報告されることができない。ここで、トリガサブフレームは、第１ダウンリンクサブフレームであり、報告サブフレームは、第１アップリンクサブフレームである。受信機９１は、第１ダウンリンクサブフレーム上において、基地局装置により送信された非周期ＣＳＩトリガシグナリングを受信し、これにより、参照サブフレーム上において非周期ＣＳＩ測定を実行し、アップリンクサブフレーム上の非周期ＣＳＩ測定結果を報告するようにユーザ機器をトリガする。
【０１６１】
一実装方式では、受信機９１は、基地局装置により送信された第１シグナリングを受信するようさらに構成され、ここで、第１シグナリングは、第１参照サブフレームを示すのに用いられる。
【０１６２】
別の実装方式において、受信機９１は、基地局装置により送信された第２シグナリングを受信するようさらに構成され、ここで、第２シグナリングは、予め設定された規則を示すのに用いられる。
【０１６３】
第１参照サブフレームを判断するよう構成されるプロセッサ９２である。
【０１６４】
プロセッサ９２は、第１参照サブフレーム上において非周期チャネル状態情報ＣＳＩ測定を実行するようさらに構成される。
【０１６５】
また別の実装方式において、プロセッサ９２により実行される第１参照サブフレームを判断する段階は、第１シグナリングに従って第１参照サブフレームを判断する段階を含む。
【０１６６】
また別の実装方式では、プロセッサ９２により実行される第１参照サブフレームを判断する段階は、第１ダウンリンクサブフレームセットから、第１参照サブフレームとしてサブフレームをランダムに選択する段階を含む。
【０１６７】
また別の実装方式では、プロセッサ９２により実行される第１参照サブフレームを判断する段階は、予め設定された規則に従って第１参照サブフレームを判断する段階を含み、ここで、予め設定された規則は、第１参照サブフレームが、第１ダウンリンクサブフレームセットにおいてサブフレームインデックスが最大のサブフレームであること、又は、第１参照サブフレームが、第１ダウンリンクサブフレームセットにおいてサブフレームインデックスが最小のサブフレームであることを含む。
【０１６８】
基地局装置に、少なくとも１つの非周期ＣＳＩを送信するよう構成される伝送機９３であって、少なくとも１つの非周期ＣＳＩ情報は、第１参照サブフレーム上の非周期ＣＳＩ測定結果に対応する、伝送機９３であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１６９】
本発明のこの実施形態において提供されているユーザ機器によれば、ユーザ機器が、ダウンリンクサブフレームセットにおいて設定された参照サブフレーム上に非周期ＣＳＩ測定を実行し、基地局装置に測定結果を送信することが分かる。このように、ユーザ機器により送信された、ダウンリンクサブフレームセットの非周期チャネル状態測定結果を基地局装置が有効に受信することを保証することができ、参照サブフレームは、命令通知に従って判断されてよく、又は、ユーザ機器により選択されてよく、若しくは、基地局装置とユーザ機器と承諾した予め設定された規則に従って判断されてよく、実装プロセスが簡便である。
【０１７０】
本発明の実施形態に係るチャネル状態情報を報告するための方法のフローチャートである図１４を参照する。方法は、以下の段階を備える。
【０１７１】
段階Ｓ１０１：ユーザ機器により送信された少なくとも１つの非周期チャネル状態情報ＣＳＩを受信する段階であって、少なくとも１つの非周期ＣＳＩは、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１７２】
この実施形態では、例えば、動的ＴＤＤサブフレーム構成がＬＴＥシステムにおいて用いられ、ローカルセルと近隣セルとのサブフレーム構成における複数の変更が異なってよく、近隣セルは、ローカルセルに対して、同方向干渉又は逆方向干渉を引き起こし得る。近隣セルのサブフレーム構成によれば、ローカルセルの基地局装置は、ローカルセルのどのダウンリンクサブフレームが近隣セルの複数のサブフレームからの逆方向干渉の対象であり得るかを判断することができ、次に、これらのサブフレームを１つのセットにグループ化し、近隣セルの複数のサブフレームからの同方向干渉のみの対象であるローカルセルの複数のダウンリンクサブフレームを別のセットにグループ化する。基地局装置は、上位層のシグナリングを用いて、ユーザ機器に、複数のダウンリンクサブフレームセットの複数の構成を通知する。上位層のシグナリングは、上位層から送信されるシグナリングであり、物理層シグナリングと比較してより低速で受信され、ＲＲＣシグナリング、ＭＡＣシグナリング、及び同様のものを含むことが留意されるべきである。
【０１７３】
既存の非周期ＣＳＩ参照リソース構成規則によれば、ダウンリンクサブフレームセットにおいて非周期ＣＳＩ参照リソースが存在しないので、対応するダウンリンクサブフレームセットの非周期ＣＳＩは、有効に報告されることができない場合があり得る。例えば、基地局装置が、複数のサブフレームを、第１ダウンリンクサブフレームセットと第２ダウンリンクサブフレームセットとにグループ化し、第１ダウンリンクサブフレームセットの非周期ＣＳＩは、有効に報告されることができない。従って、この実施形態において、非周期ＣＳＩ測定は、設定された参照サブフレーム（すなわち、第１参照サブフレーム）上において実行され、ここで、参照サブフレームは、第１ダウンリンクサブフレームセットにおけるサブフレームであり、参照サブフレーム上の非周期ＣＳＩ測定結果は、第１ダウンリンクサブフレームセットの非周期ＣＳＩ測定結果として用いられる。ユーザ機器は、１つ又は複数のアップリンクサブフレームを用いることによって、基地局装置に１つ又は複数の非周期ＣＳＩを送信し、基地局装置は、ユーザ機器により送信された１つ又は複数の非周期ＣＳＩを受信し、それにより、第１ダウンリンクサブフレームセットの報告された非周期ＣＳＩが有効に受信されることを保証する。
【０１７４】
参照サブフレームは、命令通知に従って判断され得、又はユーザ機器により選択され得、若しくは、基地局装置とユーザ機器とが承諾した予め設定された規則に従って判断され得る。命令通知と予め設定された規則とに従って判断を実行する複数の方式に関しては、以下の実施形態において詳述される説明がなされ、ユーザ機器による選択のための方式に関しては、ユーザ機器が、第１ダウンリンクサブフレームセットからサブフレームをランダムに選択する。第１サブフレームセットにおける非周期ＣＳＩ参照サブフレームに対して、ＵＥは、各無線フレーム内において、対応する報告サブフレームセットと同じサブフレームセットにおけるサブフレームを、ＣＳＩ参照サブフレームとして選択し、それにより、ＵＥによる非周期ＣＳＩ測定を実行するプロセスにおいて要求される最小限のＵＥ能力に対する制限を低減する。図６に示されているように、ＵＥは、サブフレーム４又はサブフレーム９を、非周期ＣＳＩ用の参照サブフレームとして、柔軟に選択し得る。従って、この方法を用いることによって、ＵＥに対する最小限の要件が、有効に低減されることができ、これにより、各無線フレーム内に、ＵＥは、ＣＳＩ測定情報を一度だけ更新することによって、非周期ＣＳＩ報告の間に、無線フレーム又は前の無線フレーム上における測定を介して得られて最新の第１サブフレームセットに対応する非周期ＣＳＩ測定情報を報告することができる。  この実施形態において固定されたＣＳＩ参照サブフレームが存在しないので、対応する報告された非周期ＣＳＩを受信した後に、基地局装置は、具体的なＣＳＩ参照サブフレーム構成を特定しないが、基地局装置は、非周期ＣＳＩに含まれるコンテンツが、最新の２つの無線フレームの複数の第１サブフレームセットにおけるダウンリンクサブフレーム上の対応する測定を介して得られる結果であると判断し得る。
【０１７５】
第１ダウンリンクサブフレームセットにおいて１つより多くのサブフレームが存在する場合、第１参照サブフレームとして設定されるサブフレームの数が、第１ダウンリンクサブフレームセットにおけるサブフレームの数以下であり、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内に、１つの第１参照サブフレームしか存在せず、すなわち、１つの無線フレーム内において、ユーザ機器は、多くとも１つのダウンリンクサブフレーム上においてしか第１ダウンリンクサブフレームセットのＣＳＩ測定を実行する必要がない。
【０１７６】
本発明のこの実施形態において提供されている、チャネル状態情報を報告するための方法によれば、基地局装置が、ダウンリンクサブフレームセットにおいて設定された参照サブフレーム上にユーザ機器により実行された非周期ＣＳＩ測定の結果を受信することが分かる。このように、ユーザ機器により送信された、ダウンリンクサブフレームセットの非周期チャネル状態測定結果を基地局装置が有効に受信することを保証することができる。
【０１７７】
本発明の実施形態に係るチャネル状態情報を報告するための別の方法のフローチャートである図１５を参照する。方法は、以下の段階を備える。
【０１７８】
段階Ｓ２０１：ユーザ機器に第１シグナリングを送信する段階であって、第１シグナリングは、第１参照サブフレームを示すのに用いられる、段階である。
【０１７９】
第１サブフレームセットにおけるＣＳＩ参照サブフレームに対して、基地局装置は、上位層のシグナリングを用いてＵＥに通知し、ＵＥに、各無線フレーム内には１つのＣＳＩ参照サブフレームしか存在しないことを通知し、それにより、ＵＥによる非周期ＣＳＩ測定を実行するプロセスにおいて要求される最小限のＵＥ能力に対する制限を低減させる。従来技術では、図２に示されているように、サブフレーム１２上において報告された非周期ＣＳＩに対応するＣＳＩ参照リソースは、サブフレーム４上に配置され得、サブフレーム７上において報告された非周期ＣＳＩに対応するＣＳＩ参照リソースは、サブフレーム９上に配置され得る。このことは、問題をもたらし、すなわち、非周期ＣＳＩ報告がトリガされる前に、測定が事前に実行される必要がある。その結果、各無線フレーム内において、ＣＳＩ測定は、複数回にわたって実行される必要がある。基地局装置がどのサブフレーム上の非周期ＣＳＩ測定をトリガするかを知らないので、ＵＥは、各無線フレームのサブフレーム４及び９上において測定を実行する必要があり、これにより、対応するＣＳＩ情報の報告のために準備する。従って、基地局が非周期ＣＳＩトリガを実行しない場合、ＵＥは、各無線フレーム内において、不必要であり得る測定を実行する。
【０１８０】
図５に示されているように、基地局は、上位層のシグナリングを用いることによって、各無線フレーム内において、非周期ＣＳＩ用の参照サブフレームがサブフレーム４において固定されることを、ＵＥに通知する。非周期ＣＳＩトリガサブフレームがどの位置に配置されるかに関係なく、この例において、トリガ位置は、ダウンリンクサブフレーム０又は５であり得、ＵＥは、サブフレーム４上のＣＳＩ測定結果を報告する。具体的には、非周期ＣＳＩがサブフレーム５上においてトリガされた場合、ＵＥは、現在の無線サブフレームにおいてサブフレーム４上のＣＳＩ測定結果を報告し、又は、非周期ＣＳＩがサブフレーム０上においてトリガされた場合、ＵＥは、前の無線サブフレームにおけるサブフレーム４上のＣＳＩ測定結果を報告する。
【０１８１】
段階Ｓ２０２：第１ダウンリンクサブフレーム上において、ユーザ機器に非周期ＣＳＩトリガシグナリングを送信する段階であって、非周期ＣＳＩトリガシグナリングは、第１ダウンリンクサブフレームセットにおける非周期ＣＳＩ測定結果を送信するよう、ユーザ機器に命令するのに用いられる、段階であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。例えば、第１ダウンリンクサブフレームセットは、サブフレーム４及び９を含み、第１ダウンリンクサブフレームは、サブフレーム０であり、第１アップリンクサブフレームは、サブフレーム７であり、第２サブフレームは、サブフレーム３であり、第１ダウンリンクサブフレームと第２サブフレームとの間の複数のサブフレームが、サブフレーム０、１、２、及び３を含み、第１ダウンリンクサブフレームセットにおけるいずれのサブフレームも含まない。
【０１８２】
この実施形態において、基地局装置は、無線フレームのダウンリンクサブフレーム上において、非周期ＣＳＩ報告を実行するようにユーザ機器をトリガし、ユーザ機器は、無線フレームのアップリンクサブフレーム上において非周期ＣＳＩ報告を実行し、非周期ＣＳＩ測定用の参照サブフレームが、トリガサブフレームと報告サブフレームの前４つ目のサブフレームとの間に配置されるべきであり、トリガサブフレームと報告サブフレームの前４つ目のサブフレームとの間のサブフレームが、基地局装置によるグループ化を介して得られたダウンリンクサブフレームセットを含まない場合、ダウンリンクサブフレームセットの非周期ＣＳＩは、有効に報告されることができない。ここで、トリガサブフレームは、第１ダウンリンクサブフレームであり、報告サブフレームは、第１アップリンクサブフレームである。
【０１８３】
段階Ｓ２０３：ユーザ機器により送信された少なくとも１つの非周期ＣＳＩを受信する段階であって、少なくとも１つの非周期ＣＳＩは、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１８４】
トリガサブフレームと報告サブフレームの前４つ目のサブフレームとの間のサブフレームが、第１ダウンリンクサブフレームセットにおけるいずれのサブフレームも含まないと判断した場合、ユーザ機器は、設定された参照サブフレーム上において非周期ＣＳＩ測定を実行し、参照サブフレームは、第１ダウンリンクサブフレームセットにおけるサブフレームであり、参照サブフレーム上の非周期ＣＳＩ測定結果を、第１ダウンリンクサブフレームセットの非周期ＣＳＩ測定結果として用い、ユーザ機器は、１つ又は複数のアップリンクサブフレームを用いることによって、基地局装置に１つ又は複数の非周期ＣＳＩを送信し、基地局装置の受信ユニット２２は、ユーザ機器により送信された１つ又は複数の非周期ＣＳＩを受信し、それにより、第１ダウンリンクサブフレームセットの報告された非周期ＣＳＩが有効に受信されることを保証する。
【０１８５】
本発明のこの実施形態において提供されている、チャネル状態情報を報告するための方法によれば、基地局装置が、ダウンリンクサブフレームセットにおいて設定された参照サブフレーム上にユーザ機器により実行された非周期ＣＳＩ測定の結果を受信することが分かる。このように、ユーザ機器により送信された、ダウンリンクサブフレームセットの非周期チャネル状態測定結果を基地局装置が有効に受信することを保証することができ、参照サブフレームは、命令通知に従って判断されてよく、実装プロセスが簡便である。
【０１８６】
本発明の実施形態に係るチャネル状態情報を報告するためのまた別の方法のフローチャートである図１６を参照する。方法は、以下の段階を備える。
【０１８７】
段階Ｓ３０１：ユーザ機器に、第２シグナリングを送信する段階であって、第２シグナリングは、予め設定された規則を示すのに用いられ、第１参照サブフレームが、第１ダウンリンクサブフレームセットから、予め設定された規則に従って、ユーザ機器により選択されるサブフレームである、段階である。
【０１８８】
第１サブフレームセットにおける非周期ＣＳＩ参照サブフレームのために、予め定義された規則が用いられ、各無線フレーム内において、１つの非周期ＣＳＩ参照リソース上においてのみ測定が実行され、これにより、ＵＥによる非周期ＣＳＩ測定を実行するプロセスにおいて要求される最小限のＵＥ能力に対する制限が低減される。非周期ＣＳＩ参照サブフレームは、複数の報告された非周期ＣＳＩに対応し得る。
【０１８９】
予め定義された規則は、同じ種類のＣＳＩ報告に対応するダウンリンクサブフレームのセットが、サブフレームインデックス（ｓｕｂｆｒａｍｅ  ｉｎｄｅｘ）に従ってソーティングされ、サブフレームインデックスが最大、又はサブフレームインデックスが最小のサブフレームが、サブフレームセット２に対応するＣＳＩ参照サブフレームとして選択されることであり得る。
【０１９０】
図５に示されているように、基地局装置により送信されたダウンリンクサブフレームグレープ化情報に従って、第１サブフレームセットに含まれる複数のダウンリンクサブフレーム（サブフレーム４及び９）についての情報が得られることができる。第１サブフレームセットが、先述の非周期ＣＳＩ参照サブフレーム構成の問題を有するので、非周期ＣＳＩトリガがサブフレーム０又はサブフレーム５上において実行されるか否かに関係なく、２つの可能な非周期ＣＳＩトリガサブフレームに対応するＣＳＩ参照サブフレームを判断する必要がある。ソーティングがサブフレームインデックスに従って実行され、サブフレームインデックスが最小のサブフレームが、サブフレームセット２に対応するＣＳＩ参照サブフレームとして用いられる場合、この例において、サブフレーム４は、各無線フレームにおける参照サブフレームとして選択され、サブフレームインデックスが最大のサブフレームが、サブフレームセット２に対応するＣＳＩ参照サブフレームとして用いられる場合、この例において、サブフレーム９は、各無線フレームにおける参照サブフレームとして選択される。 
【０１９１】
選択が最小のサブフレームインデックスに従って実行される場合、サブフレーム４は、非周期ＣＳＩ用の参照サブフレームである。非周期トリガサブフレームがどの位置に配置されるかに関係なく、この例において、トリガ位置が、ダウンリンクサブフレーム０又は５であり得、ＵＥは、サブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告し、又は、非周期ＣＳＩがサブフレーム０上においてトリガされた場合、ＵＥは、前の無線サブフレームにおけるサブフレーム４上のＣＳＩ測定結果を報告する。
【０１９２】
段階Ｓ３０２：第１ダウンリンクサブフレーム上において、ユーザ機器に非周期ＣＳＩトリガシグナリングを送信する段階であって、非周期ＣＳＩトリガシグナリングは、第１ダウンリンクサブフレームセットの非周期ＣＳＩ測定結果を送信するよう、ユーザ機器に命令するのに用いられる、段階であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩを保持するサブフレームである。
【０１９３】
段階Ｓ３０３：ユーザ機器により送信された少なくとも１つの非周期ＣＳＩを受信する段階であって、少なくとも１つの非周期ＣＳＩは、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０１９４】
段階Ｓ３０２及び段階Ｓ３０３はそれぞれ、図１５に示されている実施形態の段階Ｓ２０２及び段階Ｓ２０３と同じであり、ここでは説明されない。
【０１９５】
本発明のこの実施形態において提供されている、チャネル状態情報を報告するための方法によれば、基地局装置が、ダウンリンクサブフレームセットにおいて設定された参照サブフレーム上にユーザ機器により実行された非周期ＣＳＩ測定の結果を受信することが分かる。このように、ユーザ機器により送信された、ダウンリンクサブフレームセットの非周期チャネル状態測定結果を基地局装置は有効に受信することを保証することができ、参照サブフレームは、基地局装置とユーザ機器とが承諾した予め設定された規則に従って判断されてよく、実装プロセスが簡便である。
【０１９６】
本発明の実施形態に係るチャネル状態情報を報告するためのまた別の方法のフローチャートである図１７を参照する。方法は、以下の段階を備える。
【０１９７】
段階Ｓ４０１：第１参照サブフレームを判断する段階である。
【０１９８】
この実施形態において、例えば、動的ＴＤＤサブフレーム構成がＬＴＥシステムにおいて用いられ、ローカルセル及び近隣セルのサブフレーム構成における複数の変更が異なってよく、近隣セルは、ローカルセルに対して、同方向干渉又は逆方向干渉を引き起こし得る。近隣セルのサブフレーム構成によれば、ローカルセルの基地局装置が、ローカルセルのどのダウンリンクサブフレームが近隣セルの複数のサブフレームからの逆方向干渉の対象であり得るかを判断することができ、次に、これらのサブフレームを１つのセットにグループ化し、近隣セルの複数のサブフレームから同方向干渉のみの対象であるローカルセルの複数のダウンリンクサブフレームを別のセットにグループ化する。基地局装置は、上位層のシグナリングを用いて、ユーザ機器に、複数のダウンリンクサブフレームセットの複数の構成を通知する。
【０１９９】
既存の非周期ＣＳＩ参照リソース構成規則によれば、ダウンリンクサブフレームセットにおいて非周期ＣＳＩ参照リソースが存在しないので、対応するダウンリンクサブフレームセットの非周期ＣＳＩが有効に報告されることができない場合があり得る。例えば、基地局装置が、複数のサブフレームを、第１ダウンリンクサブフレームセットと第２ダウンリンクサブフレームセットとにグループ化し、第１ダウンリンクサブフレームセットの非周期ＣＳＩは、有効に報告されることができない。従って、この実施形態において、非周期ＣＳＩ測定は、設定された参照サブフレーム（すなわち、第１参照サブフレーム）上において実行される。この段階では、まず、参照サブフレームを判断する必要があり、ここで、参照サブフレームは、第１ダウンリンクサブフレームセットにおけるサブフレームである。参照サブフレームは、複数の方式で判断されてよく、例えば、命令通知に従って判断されてよく、又はユーザ機器により選択されてよく、若しくは、基地局装置とユーザ機器とが承諾した予め設定された規則により判断されてよく、本明細書においては限定されない。
【０２００】
第１ダウンリンクサブフレームセットにおいて１つより多くのサブフレームが存在する場合、第１参照サブフレームとして設定されたサブフレームの数が、第１ダウンリンクサブフレームセットにおけるサブフレームの数以下であり、すなわち、ユーザ機器は、第１ダウンリンクサブフレームセットにおける全てのダウンリンクサブフレーム上においてＣＳＩ測定を実行する必要はないことが留意されるべきである。あるいは、１つの無線フレーム内には１つの第１参照サブフレームしか存在せず、すなわち、１つの無線フレーム内において、ユーザ機器は、多くとも１つのダウンリンクサブフレーム上においてしか第１ダウンリンクサブフレームセットのＣＳＩ測定を実行する必要がない。
【０２０１】
段階Ｓ４０２：第１参照サブフレーム上において非周期チャネル状態情報ＣＳＩ測定を実行する段階である。
【０２０２】
非周期ＣＳＩ測定は、既存の測定方式で参照サブフレーム上において実行されてよく、ここでは、説明されない。
【０２０３】
段階Ｓ４０３：基地局装置に、少なくとも１つの非周期ＣＳＩを送信する段階であって、少なくとも１つの非周期ＣＳＩ情報は、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０２０４】
この実施形態では、参照サブフレーム上の非周期ＣＳＩ測定結果が、第１ダウンリンクサブフレームセットの非周期ＣＳＩ測定結果として用いられ、ユーザ機器は、１つ又は複数のアップリンクサブフレームを用いることによって、基地局装置に１つ又は複数の非周期ＣＳＩを送信し、基地局装置は、ユーザ機器により送信された１つ又は複数の非周期ＣＳＩを受信し、それにより、第１ダウンリンクサブフレームセットの報告された非周期ＣＳＩが有効に受信されることを保証する。
【０２０５】
本発明のこの実施形態において提供されている、チャネル状態情報を報告するための方法によれば、ユーザ機器が、ダウンリンクサブフレームセットにおいて設定された参照サブフレーム上に非周期ＣＳＩ測定を実行し、基地局装置に測定結果を送信することが分かる。このように、ユーザ機器により送信された、ダウンリンクサブフレームセットの非周期チャネル状態測定結果を基地局装置が有効に受信することを保証することができる。
【０２０６】
本発明の実施形態に係るチャネル状態情報を報告するためのまた別の方法のフローチャートである図１８を参照する。方法は、以下の段階を備える。
【０２０７】
段階Ｓ５０１：基地局装置により送信された第１シグナリングを受信する段階であって、第１シグナリングは、第１参照サブフレームを示すのに用いられる、段階である。
【０２０８】
段階Ｓ５０２：第１シグナリングに従って第１参照サブフレームを判断する段階である。
【０２０９】
第１サブフレームセットにおけるＣＳＩ参照サブフレームに対して、基地局装置は、上位層のシグナリングを用いてＵＥに通知し、ＵＥに、各無線フレーム内には１つのＣＳＩ参照サブフレームしか存在しないことを通知し、それにより、ＵＥによる非周期ＣＳＩ測定を実行するプロセスにおいて要求される最小限のＵＥ能力に対する制限を低減させる。従来技術では、図２に示されているように、サブフレーム１２上において報告された非周期ＣＳＩに対応するＣＳＩ参照リソースが、サブフレーム４上に配置され得、サブフレーム７上において報告された非周期ＣＳＩに対応するＣＳＩ参照リソースが、サブフレーム９上において配置され得る。このことは、問題をもたらし、すなわち、非周期ＣＳＩ報告がトリガされる前に、測定が事前に実行される必要がある。その結果、各無線フレーム内において、ＣＳＩ測定は、複数回にわたって実行される必要がある。基地局装置がどのサブフレーム上の非周期ＣＳＩ測定をトリガするかを知らないので、ＵＥは、各無線フレームのサブフレーム４及び９上において測定を実行する必要があり、これにより、対応するＣＳＩ情報の報告のために準備する。従って、基地局が非周期ＣＳＩトリガを実行しない場合、ＵＥは、各無線フレーム内において、不必要であり得る測定を実行する。
【０２１０】
図５に示されているように、基地局は、上位層のシグナリングを用いることによって、各無線フレーム内において、非周期ＣＳＩ用の参照サブフレームがサブフレーム４に固定されることを、ＵＥに通知する。非周期ＣＳＩトリガサブフレームがどの位置に配置されるかに関係なく、この例において、トリガ位置は、ダウンリンクサブフレーム０又は５であり得、ＵＥはサブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告し、又は、非周期ＣＳＩがサブフレーム０上においてトリガされた場合、ＵＥは、前の無線サブフレームにおけるサブフレーム４上のＣＳＩ測定結果を報告する。
【０２１１】
段階Ｓ５０３：第１ダウンリンクサブフレーム上において、基地局装置により送信された非周期ＣＳＩトリガシグナリングを受信する段階であって、非周期ＣＳＩトリガシグナリングは、第１ダウンリンクサブフレームセットの非周期ＣＳＩ測定結果を送信するよう、ユーザ機器に命令するのに用いられる、段階であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【０２１２】
この実施形態では、基地局装置は、無線フレームのダウンリンクサブフレーム上において、非周期ＣＳＩ報告を実行するようにユーザ機器をトリガし、ユーザ機器は、無線フレームのアップリンクサブフレーム上において非周期ＣＳＩ報告を実行し、非周期ＣＳＩ測定用の参照サブフレームは、トリガサブフレームと報告サブフレームの前４つ目のサブフレームとの間に配置されるべきであり、トリガサブフレームと報告サブフレームの前４つ目のサブフレームとの間のサブフレームが、基地局装置によるグループ化を介して得られたダウンリンクサブフレームセットを含まない場合、ダウンリンクサブフレームセットの非周期ＣＳＩは、有効に報告されることができない。ここで、トリガサブフレームは、第１ダウンリンクサブフレームであり、報告サブフレームは、第１アップリンクサブフレームである。ユーザ機器は、第１ダウンリンクサブフレーム上において、基地局装置により送信された非周期ＣＳＩトリガシグナリングを受信し、これにより、参照サブフレーム上において非周期ＣＳＩ測定を実行し、アップリンクサブフレーム上の非周期ＣＳＩ測定結果を報告するようにユーザ機器をトリガする。
【０２１３】
段階Ｓ５０４：第１参照サブフレーム上において非周期ＣＳＩ測定を実行する段階である。
【０２１４】
段階Ｓ５０５：基地局装置に、少なくとも１つの非周期ＣＳＩを送信する段階であって、少なくとも１つの非周期ＣＳＩ情報は、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０２１５】
段階Ｓ５０４及び段階Ｓ５０５はそれぞれ、図１７に示されている実施形態の段階Ｓ４０２及び段階Ｓ４０３と同じであり、ここでは説明されない。
【０２１６】
本発明のこの実施形態において提供されている、チャネル状態情報を報告するための方法によれば、ユーザ機器が、ダウンリンクサブフレームセットにおいて設定された参照サブフレーム上に非周期ＣＳＩ測定を実行し、基地局装置に測定結果を送信することが分かる。このように、ユーザ機器により送信された、ダウンリンクサブフレームセットの非周期チャネル状態測定結果を基地局装置が有効に受信することを保証することができ、参照サブフレームは、命令通知に従って判断されてよく、実装プロセスが簡便である。
【０２１７】
本発明の実施形態に係るチャネル状態情報を報告するためのまた別の方法のフローチャートである図１９を参照する。方法は、以下の段階を備える。
【０２１８】
段階Ｓ６０１：第１ダウンリンクサブフレームセットから、サブフレームを第１参照サブフレームとしてランダムに選択する段階である。
【０２１９】
第１サブフレームセットにおける非周期ＣＳＩ参照サブフレームに対して、ＵＥは、各無線フレーム内において、対応する報告サブフレームセットと同じサブフレームセットにあるサブフレームを、ＣＳＩ参照サブフレームとして選択し、それにより、ＵＥによる非周期ＣＳＩ測定を実行するプロセスにおいて要求される最小限のＵＥ能力に対する制限を低減させる。 
【０２２０】
図６に示されているように、ＵＥは、サブフレーム４又はサブフレーム９を、非周期ＣＳＩ用の参照サブフレームとして、柔軟に選択し得る。従って、この方法を用いることによって、ＵＥに対する最小限の要件が、有効に低減されることができ、これにより、各無線フレーム内において、ＵＥは、ＣＳＩ測定情報を一度だけ更新することによって、非周期ＣＳＩ報告の間に、無線フレーム又は前の無線フレーム上における測定を介して得られて最新の第１サブフレームセットに対応する非周期ＣＳＩ測定情報を報告することができる。
【０２２１】
この実施形態において固定されたＣＳＩ参照サブフレームが存在しないので、対応する報告された非周期ＣＳＩを受信した後に、基地局装置は、具体的なＣＳＩ参照サブフレーム構成を特定しないが、基地局装置は、非周期ＣＳＩに含まれるコンテンツが、最新の２つの無線フレームの複数の第１サブフレームセットにおけるダウンリンクサブフレーム上の対応する測定を介して得られる結果であると判断し得る。
【０２２２】
段階Ｓ６０２：第１ダウンリンクサブフレーム上において、基地局装置により送信された非周期ＣＳＩトリガシグナリングを受信する段階であって、非周期ＣＳＩトリガシグナリングは、第１ダウンリンクサブフレームセットの非周期ＣＳＩ測定結果を送信するよう、ユーザ機器に命令するのに用いられる、段階であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【０２２３】
段階Ｓ６０２は、図１８に示されている実施形態の段階Ｓ５０３と同じであり、ここでは説明されない。
【０２２４】
段階Ｓ６０３：第１参照サブフレーム上において非周期ＣＳＩ測定を実行する段階である。
【０２２５】
段階Ｓ６０４：基地局装置に、少なくとも１つの非周期ＣＳＩを送信する段階であって、少なくとも１つの非周期ＣＳＩ情報は、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０２２６】
段階Ｓ６０３及び段階Ｓ６０４はそれぞれ、図１７に示されている実施形態の段階Ｓ４０２及び段階Ｓ４０３、又は図１８に示されている実施形態の段階Ｓ５０４及び段階Ｓ５０５と同じであり、ここでは説明されない。
【０２２７】
本発明のこの実施形態において提供されている、チャネル状態情報を報告するための方法によれば、ユーザ機器が、ダウンリンクサブフレームセットにおいて設定された参照サブフレーム上に非周期ＣＳＩ測定を実行し、基地局装置に測定結果を送信することが分かる。このように、ユーザ機器により送信された、ダウンリンクサブフレームセットの非周期チャネル状態測定結果を基地局装置が有効に受信することを保証することができ、参照サブフレームは、ユーザ機器により選択されてよく、実装プロセスが簡便である。
【０２２８】
本発明の実施形態に係るチャネル状態情報を報告するためのまた別の方法のフローチャートである図２０を参照する。方法は、以下の段階を備える。
【０２２９】
段階Ｓ７０１：基地局装置により送信された第２シグナリングを受信する段階であって、第２シグナリングが予め設定された規則を示すのに用いられる、段階である。
【０２３０】
段階Ｓ７０２：予め設定された規則に従って第１参照サブフレームを判断する段階である。
【０２３１】
第１サブフレームセットにおける非周期ＣＳＩ参照サブフレームのために、予め定義された規則が用いられ、各無線フレーム内において、測定が、１つの非周期ＣＳＩ参照リソース上においてのみ実行され、これにより、ＵＥによる非周期ＣＳＩ測定を実行するプロセスにおいて要求される最小限のＵＥ能力に対する制限が低減される。非周期ＣＳＩ参照サブフレームは、複数の報告された非周期ＣＳＩに対応し得る。
【０２３２】
予め定義された規則は、同じ種類のＣＳＩ報告に対応するダウンリンクサブフレームのセットが、サブフレームインデックス（ｓｕｂｆｒａｍｅ  ｉｎｄｅｘ）に従ってソーティングされ、サブフレームインデックスが最大、又はサブフレームインデックスが最小のサブフレームが、サブフレームセット２に対応するＣＳＩ参照サブフレームとして選択されることを含み得る。
【０２３３】
図５に示されているように、基地局装置により送信されたダウンリンクサブフレームグレープ化情報に従って、第１サブフレームセットに含まれる複数のダウンリンクサブフレーム（サブフレーム４及び９）についての情報が得られることができる。第１サブフレームセットが先述の非周期ＣＳＩ参照サブフレーム構成の問題を有するので、非周期ＣＳＩトリガがサブフレーム０又はサブフレーム５上に実行されか否かに関係なく、２つの可能な非周期ＣＳＩトリガサブフレームに対応するＣＳＩ参照サブフレームを判断する必要がある。ソーティングが複数のサブフレームインデックスに従って実行され、サブフレームインデックスが最小のサブフレームが、サブフレームセット２に対応するＣＳＩ参照サブフレームとして用いられる場合、この例において、サブフレーム４は、各無線フレームにおける参照サブフレームとして選択され、サブフレームインデックスが最大のサブフレームが、サブフレームセット２に対応するＣＳＩ参照サブフレームとして用いられる場合、この例において、サブフレーム９は、各無線フレームにおける参照サブフレームとして選択される。
【０２３４】
選択が最小のサブフレームインデックスに従って実行された場合、サブフレーム４は、非周期ＣＳＩ用の参照サブフレームである。非周期トリガサブフレームがどの位置に配置されるかに関係なく、この例において、トリガ位置が、ダウンリンクサブフレーム０又は５であり得、ＵＥは、サブフレーム４上のＣＳＩ測定結果を報告する。具体的には、非周期ＣＳＩがサブフレーム５上においてトリガされた場合、ＵＥは、現在の無線サブフレームにおけるサブフレーム４上のＣＳＩ測定結果を報告し、又は非周期ＣＳＩがサブフレーム０上においてトリガされた場合、ＵＥは、前の無線サブフレームにおけるサブフレーム４上のＣＳＩ測定結果を報告する。
【０２３５】
段階Ｓ７０３：第１ダウンリンクサブフレーム上において、基地局装置により送信された非周期ＣＳＩトリガシグナリングを受信する段階であって、非周期ＣＳＩトリガシグナリングは、第１ダウンリンクサブフレームセットの非周期ＣＳＩ測定結果を送信するよう、ユーザ機器に命令するのに用いられる、段階であり、ここで、第１ダウンリンクサブフレームと第２サブフレームとの間のサブフレームが、第１ダウンリンクサブフレームセットにおけるいずれのサブフレームも含まず、第２サブフレームは、第１アップリンクサブフレームの前４つ目のサブフレームであり、第１アップリンクサブフレームは、少なくとも１つの非周期ＣＳＩの中の１つの非周期ＣＳＩ情報を保持するサブフレームである。
【０２３６】
段階Ｓ７０３は、図１８に示されている実施形態における段階Ｓ５０３、又は図９に示されている実施形態の段階Ｓ６０２と同じであり、ここでは説明されない。
【０２３７】
段階Ｓ７０４：第１参照サブフレーム上において非周期ＣＳＩ測定を実行する段階である。
【０２３８】
段階Ｓ７０５：基地局装置に、少なくとも１つの非周期ＣＳＩを送信する段階であって、少なくとも１つの非周期ＣＳＩ情報は、第１参照サブフレーム上の非周期ＣＳＩ測定結果に対応する、段階であり、ここで、第１参照サブフレーム上の非周期ＣＳＩ測定結果は、第１ダウンリンクサブフレームセットの非周期ＣＳＩ測定結果であり、第１参照サブフレームは、第１ダウンリンクサブフレームセットにおけるサブフレームである。
【０２３９】
段階Ｓ７０４及び段階Ｓ７０５はそれぞれ、図１７に示されている実施形態の段階Ｓ４０２及び段階Ｓ４０３、又は図１８に示されている実施形態の段階Ｓ５０４及び段階Ｓ５０５、若しくは図１９に示されている実施形態の段階Ｓ６０３及び段階Ｓ６０４と同じであり、ここでは説明されない。
【０２４０】
本発明のこの実施形態において提供されている、チャネル状態情報を報告するための方法によれば、ユーザ機器が、ダウンリンクサブフレームセットにおいて設定された参照サブフレーム上に非周期ＣＳＩ測定を実行し、基地局装置に測定結果を送信することが分かる。このように、ユーザ機器により送信された、ダウンリンクサブフレームセットの非周期チャネル状態測定結果を基地局装置が有効に受信することを保証することができ、参照サブフレームは、基地局装置とユーザ機器とが承諾した予め設定された規則に従って判断されてよく、実装プロセスが簡便である。
【０２４１】
説明を簡潔にするために、先述の複数の方法実施形態が一連の動作として表されていることが留意されるべきである。しかしながら、当業者であれば、本発明によれば、いくつかの段階が他の順序で、又は同時に、実行され得るので、本発明はその複数の動作の説明されている順序に限定されないことを理解するべきである。加えて、当業者であれば、本明細書において説明されている複数の実施形態は全て、例示的な実施形態に属し、含まれている複数の動作及びモジュールが必ずしも本発明には必須とは限らないこともまた理解するべきである。
【０２４２】
複数の先述の実施形態において、各実施形態の説明がそれぞれの要点を有している。実施形態において詳細に説明されていない部分については、複数の他の実施形態における関連説明が参照され得る。
【０２４３】
複数の先述の実施形態の説明を用いて、当業者は、本発明がハードウェア、ファームウエア、又はそれらの組み合わせにより実装され得ることを明確に理解し得る。本発明がソフトウェアにより実装される場合、複数の先述の機能は、コンピュータ可読媒体に格納されてよく、若しくは、コンピュータ可読媒体における１つ又は複数の命令又はコードとして伝送されてよい。コンピュータ可読媒体は、コンピュータ記憶媒体及び通信媒体を含み、通信媒体は、コンピュータプログラムがある位置から別の位置に伝送されることを可能にする任意の媒体を含む。記憶媒体は、コンピュータにアクセス可能な任意の利用可能な媒体であってよい。以下は、例として用いられており、限定されるものではない。コンピュータ可読媒体は、ランダムアクセスメモリ（Ｒａｎｄｏｍ  Ａｃｃｅｓｓ  Ｍｅｍｏｒｙ、ＲＡＭ）と、リードオンリメモリ（Ｒｅａｄ‐Ｏｎｌｙ  Ｍｅｍｏｒｙ、ＲＯＭ）と、電気消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ、ＥＥＰＲＯＭ）と、コンパクト・ディスク・リードオンリ・メモリ（Ｃｏｍｐａｃｔ  Ｄｉｓｃ  Ｒｅａｄ‐Ｏｎｌｙ  Ｍｅｍｏｒｙ，ＣＤ‐ＲＯＭ）、又は他の光ディスクストレージ、ディスク記憶媒体、若しくは、他のディスクストレージ、あるいは、予期されるプログラムコードをコマンド又はデータ構造形式において保持又は格納するのに用いられ得、コンピュータによりアクセスされ得る任意の他の媒体を含み得る。加えて、任意の接続が、コンピュータ可読媒体として適切に定義されてよい。例えば、ソフトウェアが、同軸ケーブル、光ファイバ／ケーブル、ツイストペア、デジタル加入者線（Ｄｉｇｉｔａｌ  Ｓｕｂｓｔｒｉｂｅｒ  Ｌｉｎｅ、ＤＳＬ）、又は赤外線、無線及びマイクロ波などの無線技術を用いて、ウェブサイト、サーバ又は別のリモートソースから伝送される場合、その同軸ケーブル、光ファイバ／ケーブル、ツイストペア、ＤＳＬ、又は赤外線、無線及びマイクロ波などの無線技術は、それらが属する媒体の定着（ｆｉｘａｔｉｏｎ）に含まれる。例えば、本発明により用いられるディスク（Ｄｉｓｋ）及びディスク（ｄｉｓｃ）は、コンパクトディスクＣＤ、レーザディスク、光ディスク、デジタル多用途ディスク（ＤＶＤ）、フロッピー（登録商標）ディスク、及びブルーレイディスクを含み、ディスク（ｄｉｓｋ）は概して磁気的手段によりデータをコピーし、ディスク（ｄｉｓｃ）はレーザ手段により光学的にデータをコピーする。先述の組み合わせはまた、コンピュータ可読媒体の保護範囲に含まれるべきである。
【０２４４】
要約すると、上にて説明されていることは、本発明の技術的解決手段の例示的な実施形態にすぎず、本発明の保護範囲を限定することを意図しない。本発明の主旨及び原則から逸脱することなく行われた任意の変更、等価な置換、又は改良は、本発明の保護範囲内に含まれるものとする。
【図１】
0006367370.tif 000003
【図２】
0006367370.tif 000004
【図３】
0006367370.tif 000005
【図４】
0006367370.tif 000006
【図５】
0006367370.tif 000007
【図６】
0006367370.tif 000008
【図７】
0006367370.tif 000009
【図８】
0006367370.tif 000010
【図９】
0006367370.tif 000011
【図１０】
0006367370.tif 000012
【図１１】
0006367370.tif 000013
【図１２】
0006367370.tif 000014
【図１３】
0006367370.tif 000015
【図１４】
0006367370.tif 000016
【図１５】
0006367370.tif 000017
【図１６】
0006367370.tif 000018
【図１７】
0006367370.tif 000019
【図１８】
0006367370.tif 000020
【図１９】
0006367370.tif 000021
【図２０】
0006367370.tif 000022